【手続補正書】
【提出日】令和3年3月15日(2021.3.15)
【手続補正１】
【補正対象書類名】明細書
【補正対象項目名】全文
【補正方法】変更
【補正の内容】
【発明の詳細な説明】
【発明の名称】データ処理方法及び関連装置
【技術分野】
【０００１】
本発明は通信技術分野に関し、特にデータ処理方法及び関連製品に関する。
【背景技術】
【０００２】
第四世代（４Ｇ：４ｔｈ  Ｇｅｎｅｒａｔｉｏｎ）移動通信ネットワーク、例えば長期発展型（ＬＴＥ：Ｌｏｎｇ  Ｔｅｒｍ  Ｅｖｏｌｕｔｉｏｎ）ネットワークは、現在広くカバーされている。４Ｇネットワークはその通信速度が速く、ネットワークスペクトルが広く、通信が柔軟であることなどの通信特徴を有している。しかし、モノのインターネット、車のインターネットなどのネットワークニーズの出現により、ユーザは、次世代移動通信ネットワーク、即ち第五世代（５Ｇ：５ｔｈ  Ｇｅｎｅｒａｔｉｏｎ）移動通信ネットワークに対する要求が大きくなり、例えば連続広域カバレッジの１００メガバイト／秒（Ｍｂｐｓ）とのユーザ体験レート、ホットスポットの１ギガバイト／秒（Ｇｂｐｓ）とのユーザ体験レート、１ミリ秒（ｍｓ）以内のエアインタフェース遅延、１００ｍｓ以内のエンドツーエンド遅延、信頼性保証などが要求される。
【０００３】
通信システムのスペクトル効率及びユーザのデータスループットをさらに向上させるために、搬送波アグリゲーション（ＣＡ：Ｃａｒｒｉｅｒ  Ａｇｇｒｅｇａｔｉｏｎ）技術がＬＴＥ−Ａ（ＬＴＥ：ＬＴＥ−Ａｄｖａｎｃｅｄ：進化した長期発展型システム）システムに導入される。搬送波アグリゲーションとは、ＵＥ（ＵＥ：Ｕｓｅｒ  Ｅｑｕｉｐｍｅｎｔ）が複数のコンポーネント搬送波（ＣＣ：Ｃｏｍｐｏｎｅｎｔ  Ｃａｒｒｉｅｒ）を同時に用いてアップリンク及びダウンリンク通信を行うことができ、それによって高速なデータ伝送を実現できることを意味する。
【０００４】
現在、５Ｇ（ＮＲ：Ｎｅｗ  Ｒａｄｉｏ）システムでは、搬送波アグリゲーションにサポートされるデータ複製伝送（Ｄａｔａ  Ｄｕｐｌｉｃａｔｉｏｎ）のスキームに対して、一つのパケットデータコンバージェンスプロトコル（ＰＤＣＰ：Ｐａｃｋｅｔ  Ｄａｔａ  Ｃｏｎｖｅｒｇｅｎｃｅ  Ｐｒｏｔｏｃｏｌ）層エンティティは、複製された２つのＰＤＣＰプロトコルデータユニット（ＰＤＣＰ  ＰＤＵ：ＰＤＣＰ  Ｐｒｏｔｏｃｏｌ  Ｄａｔａ  Ｕｎｉｔ）をそれぞれ２つの無線リンク層制御プロトコル（ＲＬＣ：Ｒａｄｉｏ  Ｌｉｎｋ  Ｃｏｎｔｒｏｌ）層エンティティ（それぞれ異なる論理チャネルを有する）に送信している。
【発明の概要】
【発明が解決しようとする課題】
【０００５】
本発明の実施例は第二のＲＬＣ層のエンティティのデータバッファオーバーフローを回避し、データ伝送の安定性を向上させるように、データ処理方法及び関連装置を提供する。
【課題を解決するための手段】
【０００６】
第一の態様では、本発明の実施例によるＰＤＣＰ層エンティティと第一のＲＬＣ層エンティティを備える第一の装置に応用されるデータ処理方法は、
前記第一のＲＬＣ層エンティティによって処理された第一のＲＬＣ  ＳＤＵに関連付けられた第一のＲＬＣ  ＰＤＵの伝送が完了されたことを検出した場合、第二のＲＬＣ  ＳＤＵの処理を中断し、前記ＰＤＣＰ層エンティティのデータ複製伝送機能がアクティブ状態にあり、前記第一のＲＬＣ  ＰＤＵが前記第一のＲＬＣ  ＳＤＵに対応する少なくとも一つのＲＬＣ  ＰＤＵのうちのＲＬＣ  ＰＤＵであり、前記第一のＲＬＣ  ＳＤＵが前記第二のＲＬＣ  ＳＤＵと同様であることを含む。
【０００７】
第二の態様では、本発明の実施例による第二の装置に応用されるデータ処理方法は、
第一の装置へ確認メッセージ（ＡＣＫ）を送信し、前記ＡＣＫが、第一のＲＬＣ層エンティティによって処理された第一のＲＬＣ  ＳＤＵに関連付けられた第一のＲＬＣ  ＰＤＵ伝送が完了されたことを検出した場合、第二のＲＬＣ  ＳＤＵの処理を中断するために前記第一の装置によって使用され、前記第一のＲＬＣ  ＳＤＵが前記第二のＲＬＣ  ＳＤＵと同様であり、前記第一のＲＬＣ  ＰＤＵが前記第一のＲＬＣ  ＳＤＵに対応する少なくとも一つのＲＬＣ  ＰＤＵのうちのＲＬＣ  ＰＤＵであり、前記第一の装置のＰＤＣＰ層エンティティのデータ複製伝送機能がアクティブ状態にあることを含む。
【０００８】
第三の態様では、本発明の実施例は、上記方法設計における第一の装置の動作を実施する機能を備える第一の装置を提供する。前記機能がハードウェアによって実現されてもよいし、ハードウェアによって対応するソフトウェアを実行して実現されてもよい。前記ハードウェア又はソフトウェアは上記機能に対応する一つ又は複数のモジュールを含む。
【０００９】
一つの可能な設計において、第一の装置はプロセッサを備え、前記プロセッサが、第一の装置が上記方法における対応する機能を実行することをサポートするように構成される。さらに、第一の装置は通信インタフェースをさらに備えることができ、前記通信インタフェースが第一の装置と第二の装置との通信をサポートすることに用いられる。さらに、第一の装置はメモリをさらに備えることができ、前記メモリがプロセッサと結合し、第一の装置に必要なプログラム命令とデータを保存することに用いられる。
【００１０】
第四の態様では、本発明の実施例は、上記方法設計における第二の装置の動作を実施する機能を備える第二の装置を提供する。前記機能がハードウェアによって実現されてもよいし、ハードウェアによって対応するソフトウェアを実行して実現されてもよい。前記ハードウェア又はソフトウェアは上記機能に対応する一つ又は複数のモジュールを含む。
【００１１】
一つの可能な設計において、第二の装置はプロセッサを備え、前記プロセッサが、第二の装置が上記方法における対応する機能を実行することをサポートするように構成される。さらに、第二の装置は通信インタフェースをさらに備えることができ、前記通信インタフェースが第二の装置と第一の装置との通信をサポートすることに用いられる。さらに、第二の装置はメモリをさらに備えることができ、前記メモリがプロセッサと結合し、第二の装置に必要なプログラム命令とデータを保存することに用いられる。
【００１２】
第五の態様では、本出願の実施例による第一の装置は、プロセッサ、メモリ、通信インタフェース及び一つ又は複数のプログラムを備え、ここで、前記一つ又は複数のプログラムが前記メモリに記憶され、そして前記プロセッサによって実行されるように構成され、前記プログラムが本発明の実施例の第一の態様におけるいずれかの方法のステップを実行するための命令を含む。
【００１３】
第六の態様では、本出願の実施例による第二の装置は、プロセッサ、メモリ、通信インタフェース及び一つ又は複数のプログラムを備え、ここで、前記一つ又は複数のプログラムが前記メモリに記憶され、そして前記プロセッサによって実行されるように構成され、前記プログラムが本発明の実施例の第二の態様におけるいずれかの方法のステップを実行するための命令を含む。
【００１４】
第七の態様による本発明の実施例はコンピュータ可読記憶媒体を提供し、ここで、前記コンピュータ可読記憶媒体が電子データ交換のためのコンピュータプログラムを記憶し、ここで、前記コンピュータプログラムによりコンピュータが本発明の第一の態様のいずれかの方法に記載される一部又は全てのステップを実行する。
【００１５】
第八の態様による本発明の実施例はコンピュータ可読記憶媒体を提供し、ここで前記コンピュータ可読記憶媒体が電子データ交換のためのコンピュータプログラムを記憶し、ここで、前記コンピュータプログラムによりコンピュータが本発明の第二の態様のいずれかの方法に記載される一部又は全てのステップを実行する。
【００１６】
第九の態様では、本発明の実施例はコンピュータプログラム製品を提供し、ここで、前記コンピュータプログラム製品がコンピュータプログラムを記憶する非一時的コンピュータ可読記憶媒体を含み、前記コンピュータプログラムがコンピュータに本発明の実施例の第一の態様のいずれかの方法に記載される一部又は全てのステップを実行させるように動作されてもよい。該コンピュータプログラム製品は、一つのソフトウェアインストールパッケージであってもよい。
【００１７】
第十の態様では、本発明の実施例はコンピュータプログラム製品を提供し、ここで、前記コンピュータプログラム製品がコンピュータプログラムを記憶している非一時的コンピュータ可読記憶媒体を含み、前記コンピュータプログラムがコンピュータに本発明の実施例の第二の態様のいずれかの方法に記載される一部又は全てのステップを実行させるように動作されてもよい。該コンピュータプログラム製品は、一つのソフトウェアインストールパッケージであってもよい。
【００１８】
これにより、本発明の実施例では、第一の装置は前記第一のＲＬＣ層エンティティによって処理された第一のＲＬＣ  ＳＤＵに関連付けられた第一のＲＬＣ  ＰＤＵの伝送が完了されたことを検出した場合、第二のＲＬＣ  ＳＤＵの処理を中断し、前記ＰＤＣＰ層エンティティのデータ複製伝送機能がアクティブ状態にあり、前記第一のＲＬＣ  ＰＤＵが前記第一のＲＬＣ  ＳＤＵに対応する少なくとも一つのＲＬＣ  ＰＤＵのうちのＲＬＣ  ＰＤＵであり、前記第一のＲＬＣ  ＳＤＵが前記第二のＲＬＣ  ＳＤＵと同様である。これにより、第一のＲＬＣ層エンティティに対応する搬送波チャネル条件が第二のＲＬＣ層エンティティに対応する搬送波チャネル条件より優れる場合、第一のＲＬＣ層エンティティによって処理された、第一のＲＬＣ  ＳＤＵに対応する第一のＲＬＣ  ＰＤＵ伝送が完了され、第二のＲＬＣ層エンティティによって処理された、前記第一のＲＬＣ  ＳＤＵと同様第二のＲＬＣ  ＳＤＵの処理が完了されなく、この場合、第二のＲＬＣ  ＳＤＵの処理を中断することにより、第二のＲＬＣ層エンティティのデータバッファオーバーフローを回避することができ、データ伝送の安定性を向上させることに有利である。
【図面の簡単な説明】
【００１９】
【図１】本発明の実施例による可能な通信システムのネットワークアーキテクチャ図である。
【図２Ａ】本発明の実施例によるデータ処理方法のフローチャートである。
【図２Ｂ】本発明の実施例によるデータ伝送のフローチャートである。
【図３Ａ】本発明の実施例による５Ｇ  ＮＲシステムにおけるデータ処理方法の概略図である。
【図３Ｂ】本発明の実施例による５Ｇ  ＮＲシステムにおけるデータ処理方法の概略図である。
【図３Ｃ】本発明の実施例による５Ｇ  ＮＲシステムにおけるデータ処理方法の概略図である。
【図４】本発明の実施例による第一の装置の構造図である。
【図５】本発明の実施例による第二の装置の構造図である。
【図６】本発明の実施例による第一の装置の機能ユニットの構成ブロック図である。
【図７】本発明の実施例による第二の装置の機能ユニットの構成ブロック図である。
【図８】本発明の実施例に係る端末の構造図である。
【発明を実施するための形態】
【００２０】
上記において実施例又は従来技術の説明に必要な図面を簡単に説明している。
【００２１】
以下に図面を組み合わせながら本発明の実施例における技術的解決策を説明する。
【００２２】
図１を参照すると、図１は本発明の実施例による例示的な通信システムの可能なネットワークアーキテクチャである。該例示的な通信システムは例えばグローバル移動通信システム（ＧＳＭ：Ｇｌｏｂａｌ  Ｓｙｓｔｅｍ  ｆｏｒ  Ｍｏｂｉｌｅ  ｃｏｍｍｕｎｉｃａｔｉｏｎｓ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、時分割多元接続（ＴＤＭＡ：Ｔｉｍｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ）、周波数分割多元接続（ＦＤＭＡ：Ｆｒｅｑｕｅｎｃｙ  Ｄｉｖｉｓｉｏｎ  Ｍｕｌｔｉｐｌｅ  Ａｄｄｒｅｓｓｉｎｇ）システム、直交周波数分割多元接続（ＯＦＤＭＡ：Ｏｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ）システム、単一搬送波ＦＤＭＡ（ＳＣ−ＦＤＭＡ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）システム、ＬＴＥシステム、５Ｇ／ＮＲシステム及び他のこのような通信システムであってもよい。該例示的な通信システムは具体的にネットワーク側装置と端末を備え、端末がネットワーク側装置によって提供された移動通信ネットワークにアクセスする時に、端末とネットワーク側装置が無線リンクを介して通信して接続することができ、該通信接続方式がシングル接続方式又はデュアル接続方式又はマルチ接続方式であってもよく、通信接続方式がシングル接続方式である場合、ネットワーク側装置がＬＴＥ基地局又はＮＲ基地局（ｇＮＢ基地局とも呼ばれる）であってもよく、通信方式がデュアル接続方式である（具体的に搬送波アグリゲーション（ＣＡ）技術により実現されてもよく、又は複数のネットワーク側装置で実現されてもよい）、そして端末に複数のネットワーク側装置が接続される場合、該複数のネットワーク側装置がマスタ基地局（ＭＣＧ）とセカンダリ基地局（ＳＣＧ）であってもよく、基地局同士がバックホールリンク（ｂａｃｋｈａｕｌ）を介してデータバックホールを行い、マスタ基地局がＬＴＥ基地局であってもよく、セカンダリ基地局がＬＴＥ基地局であってもよく、又は、マスタ基地局がＮＲ
基地局であってもよく、セカンダリ基地局がＬＴＥ基地局であってもよく、又は、マスタ基地局がＮＲ基地局であってもよく、セカンダリ基地局がＮＲ基地局であってもよい。
【００２３】
本発明の実施例では、用語「ネットワーク」と「システム」が常に交換可能に使用され、当業者はその意味を理解することができる。本発明の実施例に係る端末は無線通信機能を備える様々なハンドヘルドデバイス、車載デバイス、ウェアラブルデバイス、コンピューティングデバイス又は無線モデムに接続された他の処理装置、及び様々な形態のユーザ装置（ＵＥ：Ｕｓｅｒ  Ｅｑｕｉｐｍｅｎｔ）、移動ステーション（ＭＳ：Ｍｏｂｉｌｅ  Ｓｔａｔｉｏｎ）、端末装置（ｔｅｒｍｉｎａｌ  ｄｅｖｉｃｅ）などを備えることができる。説明を容易にするために、上述した装置は端末と総称される。
【００２４】
本発明の実施例では、第一の装置と第二の装置に係り、ここで、第一の装置が端末である場合、第二の装置はネットワーク側装置であり、又は、第一の装置がネットワーク側装置である場合、第二の端末は端末である。該ネットワーク側装置におけるエンティティ（例えばＰＤＣＰ層エンティティ、ＲＬＣ層エンティティ、ＭＡＣエンティティなど）は同一の装置に存在してもよいし、異なる装置に存在してもよい。
【００２５】
図２Ａを参照すると、図２Ａは本発明の実施例によるデータ処理方法であり、第一の装置に応用され、前記第一の装置がＰＤＣＰ層エンティティと第一のＲＬＣ層エンティティを含み、該方法が以下のステップを含む。
【００２６】
２０１において、第一の装置は、前記第一のＲＬＣ層エンティティによって処理された第一のＲＬＣ  ＳＤＵに関連付けられた第一のＲＬＣ  ＰＤＵの伝送が完了されたことを検出した場合、第二のＲＬＣ  ＳＤＵの処理を中断し、前記ＰＤＣＰ層エンティティのデータ複製伝送機能がアクティブ状態にあり、前記第一のＲＬＣ  ＰＤＵが前記第一のＲＬＣ  ＳＤＵに対応する少なくとも一つのＲＬＣ  ＰＤＵのうちのＲＬＣ  ＰＤＵであり、前記第一のＲＬＣ  ＳＤＵが前記第二のＲＬＣ  ＳＤＵと同様である。
【００２７】
ここで、前記ＰＤＣＰ層エンティティのデータ複製伝送機能も非アクティブ状態にあり得るが、ここで唯一に限定されない。
【００２８】
ここで、前記ＰＤＣＰ層エンティティのデータ複製伝送機能が図２Ｂに示され、ＰＤＣＰ層エンティティのデータ複製伝送機能がクローズ状態にある場合、前記ＰＤＣＰ層エンティティは前記ＰＤＣＰ  ＳＤＵを受信する時に、前記ＰＤＣＰ  ＳＤＵをＰＤＣＰ  ＰＤＵとしてカプセル化して処理し、そして前記第一のＲＬＣ層エンティティに伝送し、前記第一のＲＬＣ層エンティティによって第一のＲＬＣ  ＰＤＵとしてカプセル化して処理し、ＭＡＣ層エンティティへ伝送し、前記ＰＤＣＰ層エンティティのデータ複製伝送機能がアクティブ状態にある場合、前記ＰＤＣＰ層エンティティは前記ＰＤＣＰ  ＳＤＵをＰＤＣＰ  ＰＤＵとＰＤＣＰ  ＰＤＵのコピーという２つの同様のＰＤＣＰ  ＰＤＵとしてカプセル化して処理し、前記第一のＲＬＣ層エンティティと前記第二のＲＬＣ層エンティティにそれぞれ伝送し、この時、前記第一のＲＬＣ層エンティティの第一のＲＬＣ  ＳＤＵと前記ＲＬＣ層エンティティの第二の  ＲＬＣ  ＳＤＵが同様である。
【００２９】
ここで、データ伝送プロセスを通過する各層のエンティティのＳＤＵが上位層エンティティから送信されたＰＤＵに関連付けられ、各層のエンティティのＰＤＵが下位層エンティティのＳＤＵに対応する。
【００３０】
ここで、前記第一のＲＬＣ層エンティティが前記第一のＲＬＣ  ＳＤＵをＲＬＣ  ＰＤＵとしてカプセル化して処理する場合、前記第一のＲＬＣ層エンティティは前記第一のＲＬＣ  ＳＤＵを分割して処理して複数の前記ＲＬＣ  ＰＤＵとしてカプセル化することができ、前記第一のＲＬＣ  ＰＤＵが前記複数のＲＬＣ  ＰＤＵのうちのＲＬＣ  ＰＤＵである。また、第一のＲＬＣ層エンティティが前記第一のＲＬＣ  ＳＤＵを分割して処理して複数のＲＬＣ  ＰＤＵとしてカプセル化する場合、第一の装置が前記第一のＲＬＣ層エンティティによって処理された第一のＲＬＣ  ＳＤＵに関連付けられた第一のＲＬＣ  ＰＤＵの伝送が完了されたことを検出する具体的な実施形態は、第一の装置が前記第一のＲＬＣ層エンティティによって処理された第一のＲＬＣ  ＳＤＵに関連付けられた上記複数のＲＬＣ  ＰＤＵの伝送が完了されたことを検出することを含むことができる。
【００３１】
ここで、前記第一のＲＬＣ層エンティティによって処理された第一のＲＬＣ  ＳＤＵに関連付けられた第一のＲＬＣ  ＰＤＵの伝送が完了されることは、前記第一のＲＬＣエンティティが確認モード（ＡＭ）にある時に、第一のＲＬＣ  ＰＤＵに対応するデータパケットが既に第二の装置に伝送され、又は前記第一のＲＬＣ層エンティティが確認モード（ＵＭ）にある時に、前記第一のＲＬＣ層エンティティが既に前記第一のＲＬＣ  ＰＤＵに送信されたことを含むことができる。
【００３２】
一つの可能な例では、前記第二のＲＬＣ  ＳＤＵの処理を中断することは、
第二のＲＬＣ層エンティティにおける処理が完了されない前記第二のＲＬＣ  ＳＤＵの処理を中断すること、又は、
第一のＲＬＣ層エンティティにおける処理が完了されない前記第二のＲＬＣ  ＳＤＵの処理を中断することを含む。
【００３３】
ここで、前記ＰＤＣＰ層エンティティのデータ複製機能がアクティブ状態にある場合、前記第一のＲＬＣ層エンティティの前記第一のＲＬＣ  ＳＤＵの処理が完了され、前記第二のＲＬＣ層エンティティの前記第二のＲＬＣ  ＳＤＵの処理が完了されなく、前記第一のＲＬＣ層エンティティの搬送波のチャネル条件が前記第二のＲＬＣ層エンティティの搬送波のチャネル条件より優れることを示すことができる。
【００３４】
ここで、前記処理が完了されない前記第二のＲＬＣ  ＳＤＵ即ち前記第二のＲＬＣ  ＳＤＵの伝送が完了されなく、前記伝送が完了されないことは、前記第二のＲＬＣ  ＳＤＵが第二のＲＬＣ  ＰＤＵとしてカプセル化して処理されないこと、前記第二のＲＬＣ  ＳＤＵに関連付けられた前記第二のＲＬＣ  ＰＤＵがＭＡＣ層エンティティに伝送されないこと、前記第二のＲＬＣ  ＳＤＵに関連付けられた前記第二のＲＬＣ  ＰＤＵが前記ＭＡＣ層エンティティに伝送された後にＭＡＣ  ＰＤＵとしてカプセル化して処理されないこと、前記第二のＲＬＣ  ＳＤＵに関連付けられた前記ＭＡＣ  ＰＤＵが物理ＰＨＹ層エンティティに伝送されないこと、前記第二のＲＬＣ  ＳＤＵに関連付けられた前記ＭＡＣ  ＰＤＵが物理層エンティティに伝送された後にＰＨＹ  ＰＤＵとしてカプセル化して処理されないこと、前記第二のＲＬＣ  ＳＤＵに関連付けられた前記ＰＨＹ  ＰＤＵが第二の装置に伝送されないことのうちの少なくとも一つを含むことができる。
【００３５】
これから分かるように、本例では、第一の装置は、処理が完了されない前記第二のＲＬＣ  ＳＤＵを中断し、前記第二のＲＬＣ  ＳＤＵを中断する過程に前記第二のＲＬＣ  ＳＤＵの処理が完了されるか否かを検出し、前記第一のＲＬＣ  ＳＤＵの伝送が完了された後に前記第二のＲＬＣ  ＳＤＵを盲目的に中断しなく、これにより第一の装置のデータ伝送の正確性と信頼性を向上することに有利である。
【００３６】
これから分かるように、本発明の実施例では、第一の装置は前記第一のＲＬＣ層エンティティによって処理された第一のＲＬＣ  ＳＤＵに関連付けられた第一のＲＬＣ  ＰＤＵの伝送が完了されたことを検出した場合、第二のＲＬＣ  ＳＤＵの処理を中断し、前記ＰＤＣＰ層エンティティのデータ複製伝送機能がアクティブ状態にあり、前記第一のＲＬＣ  ＰＤＵが前記第一のＲＬＣ  ＳＤＵに対応する少なくとも一つのＲＬＣ  ＰＤＵのうちのＲＬＣ  ＰＤＵであり、前記第一のＲＬＣ  ＳＤＵが前記第二のＲＬＣ  ＳＤＵと同様である。これから分かるように、第一のＲＬＣ層エンティティに対応する搬送波チャネル条件が第二のＲＬＣ層エンティティに対応する搬送波チャネル条件より優れる場合、第一のＲＬＣ層エンティティによって処理された、第一のＲＬＣ  ＳＤＵに関連付けられた第一のＲＬＣ  ＰＤＵ伝送が完了され、第二のＲＬＣ層エンティティによって処理された、前記第一のＲＬＣ  ＳＤＵと同様である第二のＲＬＣ  ＳＤＵの処理が完了されなく、この場合、第二のＲＬＣ  ＳＤＵの処理を中断することにより、第二のＲＬＣ層エンティティのデータバッファオーバーフローを回避することができ、データ伝送の安定性を向上させることに有利である。
【００３７】
一つの可能な例では、前記第一のＲＬＣ層エンティティが確認モード（ＡＭ）にあり、前記第一のＲＬＣ層エンティティによって処理された第一のＲＬＣ  ＳＤＵに関連付けられた第一のＲＬＣ  ＰＤＵの伝送が完了されたことを検出することは、
前記第一のＲＬＣ層エンティティが第二の装置からの確認メッセージ（ＡＣＫ）を受信することを検出し、前記ＡＣＫが前記第一のＲＬＣ  ＰＤＵの伝送が完了されたことを示すことに用いられることを含む。
【００３８】
ここで、前記第一のＲＬＣ層エンティティが確認モード（ＡＭ）にある場合、前記第一のＲＬＣ層エンティティは前記第一のＲＬＣ  ＳＤＵを前記第一のＲＬＣ  ＰＤＵとしてカプセル化して処理する時に、データフォーマットに特定のプロトコルオーバーヘッドを追加し、第二の装置が該第一のＲＬＣ  ＰＤＵに対応するデータを受信する時に、確認メッセージ（ＡＣＫ）を返信する。
【００３９】
ここで、前記ＡＣＫは前記第一のＲＬＣ  ＰＤＵの伝送が完了されたことを示すことに用いられ、即ち前記ＡＣＫは前記第一のＲＬＣ  ＰＤＵが既に第二の装置に伝送されたことを示すことに用いられる。
【００４０】
これから分かるように、本例では、第一の装置は第二の装置から送信されたＡＣＫメメッセージにより前記第一のＲＬＣ  ＰＤＵの伝送が完了されたことを確定し、それ自体によって判定しなく、これにより第一の装置の判定の正確性を向上し、データ処理の信頼性を高めることに有利である。
【００４１】
一つの可能な例では、前記第一のＲＬＣ層エンティティが非確認モード（ＵＭ）にある場合、前記第一のＲＬＣ層エンティティによって処理された第一のＲＬＣ  ＳＤＵに関連付けられた第一のＲＬＣ  ＰＤＵの伝送が完了されたことを検出することは、
前記第一のＲＬＣ層エンティティにおける前記第一のＲＬＣ  ＳＤＵに関連付けられた前記第一のＲＬＣ  ＰＤＵが送信されたことを検出することを含む。
【００４２】
ここで、前記第一のＲＬＣ層エンティティが非確認モード（ＵＭ）にある場合、前記第二の装置がメッセージを第一の装置に返信しないため、第一の装置は第二の装置を介してメッセージを知ることができなく、そのため前記第一ＲＬＣ層エンティティにおける前記第一のＲＬＣ  ＳＤＵに関連付けられた前記第一のＲＬＣ  ＰＤＵが既にＭＡＣ層エンティティに送信された場合、前記第一のＲＬＣ  ＰＤＵの伝送が完了されたことを確認する。
【００４３】
これから分かるように、本例では、前記第一のＲＬＣ層エンティティが非確認モード（ＵＭ）にある場合、前記第一のＲＬＣＰＤＵの伝送が完了されるか否かのメッセージを第二の装置を介して知ることができなく、それ自体装置における前記第一のＲＬＣ層エンティティが既にＭＡＣエンティティへ前記第一のＲＬＣ  ＰＤＵを送信したか否かを判定することにより、前記第一のＲＬＣ  ＰＤＵの伝送が完了されるか否かを確定し、第二の装置とのインタラクションにより確定する必要がなく、データ処理の速度と利便性を向上させることに有利である。
【００４４】
一つの可能な例では、前記第二のＲＬＣ  ＳＤＵの処理を中断することは、
前記ＰＤＣＰ層エンティティを使用して前記第二のＲＬＣ層エンティティへ第一の指示メッセージを送信することと、
前記第二のＲＬＣ層エンティティを使用して前記第一の指示メッセージに応答し、前記処理が完了されない第二のＲＬＣ  ＳＤＵに対するカプセル化操作及び／又はマッピング操作を中断し、そして前記第二のＲＬＣ  ＳＤＵを削除し、前記第二のＲＬＣ  ＳＤＵが第二のＲＬＣ  ＰＤＵとしてカプセル化及び／又はマッピングされていないこと、又は、
前記第二のＲＬＣ層エンティティを使用して前記第二のＲＬＣ  ＳＤＵを削除すること、又は、
前記ＰＤＣＰ層エンティティを使用して前記第一のＲＬＣ層エンティティへ第一の指示メッセージを送信することと、
前記第一のＲＬＣ層エンティティを使用して前記第一の指示メッセージに応答し、前記第二のＲＬＣ  ＳＤＵを削除すること、又は、
前記第一のＲＬＣ層エンティティを使用して前記第二のＲＬＣ  ＳＤＵを削除することとを含む。
【００４５】
ここで、前記第一の指示メッセージは前記ＰＤＣＰ層エンティティが前記第二のＲＬＣ  ＳＤＵの処理を中断するように前記第二のＲＬＣ層エンティティに指示することに用いられる。
【００４６】
この可能な例では、前記ＰＤＣＰ層エンティティを使用して前記第二のＲＬＣ層エンティティへ第一の指示メッセージを送信する前に、前記方法はさらに、
前記第一のＲＬＣ層エンティティを使用して前記ＰＤＣＰ層エンティティへ第二の指示メッセージを送信することと、
前記第ＰＤＣＰ層エンティティを使用して前記第二の指示メッセージに応答し、前記処理が完了されない第二のＲＬＣ  ＳＤＵに対応するＰＤＣＰ  ＳＤＵとＰＤＣＰ  ＰＤＵを削除することとを含む。
【００４７】
ここで、前記第二の指示メッセージは前記第一のＲＬＣ層エンティティが前記処理が完了されない第二のＲＬＣ  ＳＤＵに対応するデータパケットを削除するように前記ＰＤＣＰ層エンティティに指示することに用いられる。
【００４８】
ここで、前記第一の装置が端末である場合、前記第一の指示メッセージと前記第二の指示メッセージが端末内部の層間シグナリングであり、又は、前記第一の装置がネットワーク側装置である場合、前記第一の指示メッセージと前記第二の指示メッセージがネットワーク側の各エンティティ同士の情報である。
【００４９】
ここで、前記ネットワーク側の各エンティティ同士はＸ２又はＸｎインタフェースを介して情報伝送を実現することができる。
【００５０】
これから分かるように、本例では、第一の装置は前記第一のＲＬＣ層エンティティを使用して前記ＰＤＣＰ層エンティティへ第二の指示メッセージを送信し、前記ＰＤＣＰ層エンティティを使用して前記第二のＲＬＣ層エンティティへ第一の指示メッセージを送信し、前記処理が完了されない第二のＲＬＣ  ＳＤＵに対応するＰＤＣＰ層エンティティと第二のＲＬＣ層エンティティの全てのデータパケットをリアルタイムに処理し、これにより第二のＲＬＣ層エンティティのデータバッファオーバーフローをさらに回避し、データ伝送の安定性を向上させることに有利である。
【００５１】
一つの可能な例では、前記第一の装置が端末であり、前記第二の装置がネットワーク側装置であり、前記第一のＲＬＣ層エンティティが確認モード（ＡＭ）にあり、前記第一のＲＬＣ層エンティティによって処理された第一のＲＬＣ  ＳＤＵに関連付けられた第一のＲＬＣ  ＰＤＵの伝送が完了されたことを検出することは、
前記第一のＲＬＣ層エンティティを使用して前記第二の装置からのＰＤＵ共通状態情報（Ｃｏｍｍｏｎ  Ｓｔａｔｕｓ  ＰＤＵ）を受信することと、
前記ＰＤＵ共通状態情報（Ｃｏｍｍｏｎ  Ｓｔａｔｕｓ  ＰＤＵ）に基づいて前記第一のＲＬＣ層エンティティによって処理された前記第一のＲＬＣ  ＳＤＵに関連付けられた前記第一のＲＬＣ  ＰＤＵの伝送が完了されたことを検出することとを含む。
【００５２】
ここで、第二の装置に伝送された第一のＲＬＣ  ＰＤＵが複数であるため、前記第一のＲＬＣ層エンティティは前記ＰＤＵ共通状態情報（Ｃｏｍｍｏｎ  Ｓｔａｔｕｓ  ＰＤＵ）に基づいて前記複数の第一のＲＬＣ  ＰＤＵのうちのどの第一のＲＬＣ  ＰＤＵの伝送が成功したか、どの第一のＲＬＣ  ＰＤＵが伝送失敗を必要とするかを知ることができる。
【００５３】
ここで、前記第一のＲＬＣ層エンティティはさらに前記ＰＤＵ共通状態情報（Ｃｏｍｍｏｎ  Ｓｔａｔｕｓ  ＰＤＵ）により複数の第一のＲＬＣ  ＰＤＵとＰＤＣＰ層エンティティにおけるＰＤＣＰ  ＰＤＵとの対応関係、又は、複数の第一のＲＬＣ  ＰＤＵと第二のＲＬＣ層エンティティにおける第二のＲＬＣ  ＰＤＵとの対応関係を知ることができ、ここで、前記対応関係がシーケンス番号（ＳＮ）によって知られてもよく、例えば前記ＰＤＵ共通状態情報（Ｃｏｍｍｏｎ  Ｓｔａｔｕｓ  ＰＤＵ）によって、前記ＲＬＣ  ＰＤＵ  ＳＮ＝３であり、ＰＤＣＰ  ＰＤＵ  ＳＮ＝１としてマッピングされることを示す。
【００５４】
この可能な例では、前記第二のＲＬＣ  ＳＤＵの処理を中断することは、
前記第一のＲＬＣ層エンティティを使用して前記第一のＲＬＣ  ＳＤＵを削除することと、
前記第一のＲＬＣ層エンティティを使用して前記第二のＲＬＣ層エンティティへ第三の指示メッセージを送信し、前記第三の指示メッセージが前記ＰＤＵ共通状態情報（Ｃｏｍｍｏｎ  Ｓｔａｔｕｓ  ＰＤＵ）を含むことと、
前記第二のＲＬＣ層エンティティを使用して前記第三の指示メッセージに応答し、前記処理が完了されない第二のＲＬＣ  ＳＤＵに関連付けられた前記第二のＲＬＣ  ＰＤＵに対する伝送操作を中断し、前記第二のＲＬＣ  ＰＤＵが前記ＲＬＣ  ＳＤＵに対応する少なくとも一つのＲＬＣ  ＰＤＵにおけるＲＬＣ  ＰＤＵであることと、
前記第二のＲＬＣ  ＰＤＵを削除することとを含む。
【００５５】
ここで、前記第三の指示メッセージが端末内部の層間シグナリングである。
【００５６】
ここで、前記第二のＲＬＣ層エンティティが前記第二のＲＬＣ  ＳＤＵをＲＬＣ  ＰＤＵとしてカプセル化して処理する場合、前記第二のＲＬＣ層エンティティは前記第二のＲＬＣ  ＳＤＵを分割して処理して複数の前記ＲＬＣ  ＰＤＵとしてカプセル化し、前記第二のＲＬＣ  ＰＤＵが前記複数のＲＬＣ  ＰＤＵのうちのＲＬＣ  ＰＤＵである。
【００５７】
ここで、前記第二のＲＬＣ層エンティティを使用して前記第三の指示メッセージに応答し、前記第二のＲＬＣ層エンティティが前記第三の指示メッセージにおけるＰＤＵ共通状態情報（Ｃｏｍｍｏｎ  Ｓｔａｔｕｓ  ＰＤＵ）に基づいて前記第一のＲＬＣ  ＳＤＵに対応する前記第二のＲＬＣ  ＳＤＵを確定し、削除操作を正確に実行することができる。
【００５８】
ここで、前記第二のＲＬＣ  ＰＤＵを削除した後、前記第一の装置が前記第二のＲＬＣ層エンティティを使用し、前記第二のＲＬＣ  ＳＤＵに対応するハイブリッド自動再送リクエスト（ＨＡＲＱ：Ｈｙｂｒｉｄ  Ａｕｔｏｍａｔｉｃ  Ｒｅｐｅａｔ  ｒｅＱｕｅｓｔ）プロセスを停止するようにＭＡＣ層に通知する。
【００５９】
これから分かるように、本例では、第一の装置は第二の装置からのＰＤＵ共通状態情報（Ｃｏｍｍｏｎ  Ｓｔａｔｕｓ  ＰＤＵ）を受信することで、伝送が完了された第一のＲＬＣ  ＳＤＵ、及び前記第一のＲＬＣ  ＳＤＵと対応関係を有する第二のＲＬＣ  ＳＤＵを取得し、これによりデータパケット位置削除の正確性を向上させ、さらにデータ伝送の信頼性を高めることに有利である。
【００６０】
一つの可能な例では、前記第二のＲＬＣ  ＳＤＵは再送されたＰＤＣＰ  ＰＤＵを含む。この状況は第一のＲＬＣ層エンティティにおける処理が完了されない、再送されたＰＤＣＰ  ＰＤＵの削除、又は第二のＲＬＣ層エンティティにおける処理が完了されないＰＤＣＰ  ＰＤＵの削除に適用する。
【００６１】
一つの可能な例では、前記第二のＲＬＣ  ＳＤＵは再送されたＰＤＣＰ  ＰＤＵを含まない。第一のＲＬＣ層エンティティにおける初めて伝送されるＰＤＣＰ  ＰＤＵの伝送が完了された場合、この状況は第二のＲＬＣ層エンティティにおける処理が完了されないＰＤＣＰデータ復元プロセスの前に伝送されたＰＤＣＰ  ＰＤＵの削除に適用する。
【００６２】
一つの可能な例では、前記第二のＲＬＣ  ＳＤＵは再送されたＰＤＣＰ  ＰＤＵとＰＤＣＰデータ復元プロセスの前に伝送されたＰＤＣＰ  ＰＤＵを含む。この状況は第一のＲＬＣ層エンティティにおける処理が完了されない再送されたＰＤＣＰ  ＰＤＵの削除と第二のＲＬＣ層エンティティにおける処理が完了されないＰＤＣＰデータ復元プロセスの前に伝送されたＰＤＣＰ  ＰＤＵの削除に適用し、又は、第一のＲＬＣ層エンティティにおける処理が完了されない再送されたＰＤＣＰ  ＰＤＵの削除と第二のＲＬＣ層エンティティにおける処理が完了されないＰＤＣＰデータ復元プロセスの前に伝送されたＰＤＣＰ  ＰＤＵの削除と再送されたＰＤＣＰ  ＰＤＵの削除に適用し、又は、第二のＲＬＣ層エンティティにおける処理が完了されないＰＤＣＰデータ復元プロセスの前に伝送されたＰＤＣＰ  ＰＤＵと再送されたＰＤＣＰ  ＰＤＵの削除に適用する。
【００６３】
ここで、前記再送されたＰＤＣＰ  ＰＤＵはＰＤＣＰデータ復元プロセスに再送されたＰＤＣＰ  ＰＤＵであり、該ＰＤＣＰ  ＰＤＵがＰＤＣＰ再送ＰＤＵであり、ＲＬＣ層のＳＤＵである。
【００６４】
以下に具体的な応用シーンと組み合わせて本発明の実施例を具体的に説明する。
【００６５】
図３Ａを参照すると、図３Ａは本発明の実施例による別のデータ処理方法であり、ここで、通信システムが５Ｇ／ＮＲ通信システムであり、第一の装置が５Ｇ／ＮＲにおけるユーザ装置（ＵＥ）であり、第二の装置が５Ｇ／ＮＲにおける基地局ｇＮＢであり、前記ＰＤＣＰ層エンティティのデータ複製機能がアクティブ状態にあり、前記第一のＲＬＣ層エンティティと前記第二のＲＬＣ層エンティティがアクティブ状態にあり、且つ前記第一のＲＬＣ層エンティティがＡＭモードにある場合、該方法は、以下のステップを含む。
【００６６】
３ａ０１において、第二の装置は第一の装置へ確認メッセージ（ＡＣＫ）を送信する。
【００６７】
３ａ０２において、前記第一の装置は第一のＲＬＣ層エンティティが前記第二の装置からの前記ＡＣＫを受信することを検出し、前記ＡＣＫが前記第一のＲＬＣ層エンティティによって処理された第一のＲＬＣ  ＳＤＵに関連付けられた第一のＲＬＣ  ＰＤＵの伝送が完了されたことを示すことに用いられる。
【００６８】
ここで、前記第一のＲＬＣ  ＰＤＵは前記第一のＲＬＣ  ＳＤＵに対応する少なくとも一つのＲＬＣ  ＰＤＵのうちのＲＬＣ  ＰＤＵである。
【００６９】
３ａ０３において、前記第一の装置は前記第一のＲＬＣ層エンティティを使用して前記ＰＤＣＰ層エンティティへ第二の指示メッセージを送信する。
【００７０】
３ａ０４において、前記第一の装置は前記第ＰＤＣＰ層エンティティを使用して前記第二の指示メッセージに応答し、前記第二のＲＬＣ層エンティティにおける処理が完了されない第二のＲＬＣ  ＳＤＵに対応するＰＤＣＰ  ＳＤＵとＰＤＣＰ  ＰＤＵを削除する。
【００７１】
ここで、前記第一のＲＬＣ  ＳＤＵは前記第二のＲＬＣ  ＳＤＵと同様である。
【００７２】
３ａ０５において、前記第一の装置は前記ＰＤＣＰ層エンティティを使用して前記第二のＲＬＣ層エンティティへ第一の指示メッセージを送信する。
【００７３】
３ａ０６において、前記第一の装置は前記第二のＲＬＣ層エンティティを使用して前記第一の指示メッセージに応答し、前記処理が完了されない第二のＲＬＣ  ＳＤＵに対するカプセル化操作及び／又はマッピング操作を中断し、そして前記第二のＲＬＣ  ＳＤＵを削除する。
【００７４】
ここで、前記第二のＲＬＣ  ＳＤＵは第二のＲＬＣ  ＰＤＵとしてカプセル化及び／又はマッピングされていない。
【００７５】
これから分かるように、本発明の実施例では、第一の装置は前記第一のＲＬＣ層エンティティによって処理された第一のＲＬＣ  ＳＤＵに関連付けられた第一のＲＬＣ  ＰＤＵの伝送が完了されたことを検出した場合、第二のＲＬＣ  ＳＤＵの処理を中断し、前記ＰＤＣＰ層エンティティのデータ複製伝送機能がアクティブ状態にあり、前記第一のＲＬＣ  ＰＤＵが前記第一のＲＬＣ  ＳＤＵに対応する少なくとも一つのＲＬＣ  ＰＤＵのうちのＲＬＣ  ＰＤＵであり、前記第一のＲＬＣ  ＳＤＵが前記第二のＲＬＣ  ＳＤＵと同様である。これから分かるように、第一のＲＬＣ層エンティティに対応する搬送波チャネル条件が第二のＲＬＣ層エンティティに対応する搬送波チャネル条件より優れる場合、第一のＲＬＣ層エンティティによって処理された、第一のＲＬＣ  ＳＤＵに関連付けられた第一のＲＬＣ  ＰＤＵ伝送が完了され、第二のＲＬＣ層エンティティによって処理された、前記第一のＲＬＣ  ＳＤＵと同様である第二のＲＬＣ  ＳＤＵの処理が完了されなく、この場合、第二のＲＬＣ  ＳＤＵの処理を中断することにより、第二のＲＬＣ層エンティティのデータバッファオーバーフローを回避することができ、データ伝送の安定性を向上させることに有利である。
【００７６】
また、第一の装置は第二の装置から送信されたＡＣＫメメッセージにより前記第一のＲＬＣ  ＰＤＵの伝送が完了されたことを確定し、それ自体によって判定しなく、これにより第一の装置の判定の正確性を向上し、データ処理の信頼性を高めることに有利である。
【００７７】
図３Ｂを参照すると、図３Ｂは本発明の実施例による別のデータ処理方法であり、ここで、通信システムが５Ｇ／ＮＲ通信システムであり、第一の装置が５Ｇ／ＮＲにおけるユーザ装置（ＵＥ）であり、第二の装置が５Ｇ／ＮＲにおける基地局ｇＮＢであり、前記ＰＤＣＰ層エンティティのデータ複製機能がアクティブ状態にあり、前記第一のＲＬＣ層エンティティと前記第二のＲＬＣ層エンティティがアクティブ状態にあり、且つ前記第一のＲＬＣ層エンティティがＵＭモードにある場合、該方法は、以下のステップを含む。
【００７８】
３ｂ０１において、第一の装置は、前記第一のＲＬＣ層エンティティの第一のＲＬＣ  ＳＤＵに関連付けられた第一のＲＬＣ  ＰＤＵが送信されたことを検出する。
【００７９】
ここで、前記第一のＲＬＣ  ＰＤＵは前記第一のＲＬＣ  ＳＤＵに対応する少なくとも一つのＲＬＣ  ＰＤＵにおけるＲＬＣ  ＰＤＵである。
【００８０】
３ｂ０２において、前記第一の装置は前記第一のＲＬＣ層エンティティを使用して前記ＰＤＣＰ層エンティティへ第二の指示メッセージを送信する。
【００８１】
３ｂ０３において、前記第一の装置は前記第ＰＤＣＰ層エンティティを使用して前記第二の指示メッセージに応答し、前記第二のＲＬＣ層エンティティにおける処理が完了されない第二のＲＬＣ  ＳＤＵに対応するＰＤＣＰ  ＳＤＵとＰＤＣＰ  ＰＤＵを削除する。
【００８２】
ここで、前記第一のＲＬＣ  ＳＤＵは前記第二のＲＬＣ  ＳＤＵと同様である。
【００８３】
３ｂ０４において、前記第一の装置は前記ＰＤＣＰ層エンティティを使用して前記第二のＲＬＣ層エンティティへ第一の指示メッセージを送信する。
【００８４】
３ｂ０５において、前記第一の装置は前記第二のＲＬＣ層エンティティを使用して前記第一の指示メッセージに応答し、前記処理が完了されない第二のＲＬＣ  ＳＤＵに対するカプセル化操作及び／又はマッピング操作を中断し、そして前記第二のＲＬＣ  ＳＤＵを削除する。
【００８５】
ここで、前記第二のＲＬＣ  ＳＤＵは第二のＲＬＣ  ＰＤＵとしてカプセル化及び／又はマッピングされていない。
【００８６】
これから分かるように、本発明の実施例では、第一の装置は前記第一のＲＬＣ層エンティティによって処理された第一のＲＬＣ  ＳＤＵに関連付けられた第一のＲＬＣ  ＰＤＵの伝送が完了されたことを検出した場合、第二のＲＬＣ  ＳＤＵの処理を中断し、前記ＰＤＣＰ層エンティティのデータ複製伝送機能がアクティブ状態にあり、前記第一のＲＬＣ  ＰＤＵが前記第一のＲＬＣ  ＳＤＵに対応する少なくとも一つのＲＬＣ  ＰＤＵのうちのＲＬＣ  ＰＤＵであり、前記第一のＲＬＣ  ＳＤＵが前記第二のＲＬＣ  ＳＤＵと同様である。これから分かるように、第一のＲＬＣ層エンティティに対応する搬送波チャネル条件が第二のＲＬＣ層エンティティに対応する搬送波チャネル条件より優れる場合、第一のＲＬＣ層エンティティによって処理された、第一のＲＬＣ  ＳＤＵに関連付けられた第一のＲＬＣ  ＰＤＵ伝送が完了され、第二のＲＬＣ層エンティティによって処理された、前記第一のＲＬＣ  ＳＤＵと同様である第二のＲＬＣ  ＳＤＵの処理が完了されなく、この場合、第二のＲＬＣ  ＳＤＵの処理を中断することにより、第二のＲＬＣ層エンティティのデータバッファオーバーフローを回避することができ、データ伝送の安定性を向上させることに有利である。
【００８７】
また、前記第一のＲＬＣ層エンティティが非確認モード（ＵＭ）にある場合、前記第一のＲＬＣＰＤＵの伝送が完了されるか否かのメッセージを第二の装置を介して知ることができなく、それ自体装置における前記第一のＲＬＣ層エンティティが既にＭＡＣエンティティへ前記第一のＲＬＣ  ＰＤＵを送信したか否かを判定することにより、前記第一のＲＬＣ  ＰＤＵの伝送が完了されるか否かを確定し、第二の装置とのインタラクションにより確定する必要がなく、データ処理の速度と利便性を向上させることに有利である。
【００８８】
図３Ｃを参照すると、図３Ｃは本発明の実施例による別のデータ処理方法であり、通信システムが５Ｇ／ＮＲ通信システムであり、第一の装置が５Ｇ／ＮＲにおけるユーザ装置（ＵＥ）であり、第二の装置が５Ｇ／ＮＲにおける基地局ｇＮＢであり、前記ＰＤＣＰ層エンティティのデータ複製機能がアクティブ状態にあり、前記第一のＲＬＣ層エンティティと前記第二のＲＬＣ層エンティティがアクティブ状態にあり、且つ前記第一のＲＬＣ層エンティティがＡＭモードにある場合、該方法は、以下のステップを含む。
【００８９】
３ｃ０１において、第二の装置は第一の装置へＰＤＵ共通状態情報（Ｃｏｍｍｏｎ  Ｓｔａｔｕｓ  ＰＤＵ）を送信する。
【００９０】
３ｃ０２において、前記第一の装置は前記第一のＲＬＣ層エンティティを使用して前記第二の装置からのＰＤＵ共通状態情報（Ｃｏｍｍｏｎ  Ｓｔａｔｕｓ  ＰＤＵ）を受信する。
【００９１】
３ｃ０３において、前記第一の装置は前記ＰＤＵ共通状態情報（Ｃｏｍｍｏｎ  Ｓｔａｔｕｓ  ＰＤＵ）に基づいて前記第一のＲＬＣ層エンティティによって処理された第一のＲＬＣ  ＳＤＵに関連付けられた第一のＲＬＣ  ＰＤＵの伝送が完了されたことを検出する。
【００９２】
ここで、前記第一のＲＬＣ  ＰＤＵは前記第一のＲＬＣ  ＳＤＵに対応する少なくとも一つのＲＬＣ  ＰＤＵにおけるＲＬＣ  ＰＤＵである。
【００９３】
３ｃ０４において、前記第一の装置は前記第一のＲＬＣ層エンティティを使用して前記第一のＲＬＣ  ＳＤＵを削除する。
【００９４】
３ｃ０５において、前記第一の装置は前記第一のＲＬＣ層エンティティを使用して前記第二のＲＬＣ層エンティティへ第三の指示メッセージを送信し、前記第三の指示メッセージが前記ＰＤＵ共通状態情報（Ｃｏｍｍｏｎ  Ｓｔａｔｕｓ  ＰＤＵ）を含む。
【００９５】
３ｃ０６において、前記第一の装置は前記第二のＲＬＣ層エンティティを使用して前記第三の指示メッセージに応答し、処理が完了されない第二のＲＬＣ  ＳＤＵに関連付けられた第二のＲＬＣ  ＰＤＵに対する伝送操作を中断し、そして前記第二のＲＬＣ  ＳＤＵを削除する。
【００９６】
ここで、前記第一のＲＬＣ  ＳＤＵは前記第二のＲＬＣ  ＳＤＵと同様であり、前記第二のＲＬＣ  ＰＤＵは前記第二のＲＬＣ  ＳＤＵに対応する少なくとも一つのＲＬＣ  ＰＤＵのうちのＲＬＣ  ＰＤＵである。
【００９７】
これから分かるように、本発明の実施例では、第一の装置は前記第一のＲＬＣ層エンティティによって処理された第一のＲＬＣ  ＳＤＵに関連付けられた第一のＲＬＣ  ＰＤＵの伝送が完了されたことを検出した場合、第二のＲＬＣ  ＳＤＵの処理を中断し、前記ＰＤＣＰ層エンティティのデータ複製伝送機能がアクティブ状態にあり、前記第一のＲＬＣ  ＰＤＵが前記第一のＲＬＣ  ＳＤＵに対応する少なくとも一つのＲＬＣ  ＰＤＵのうちのＲＬＣ  ＰＤＵであり、前記第一のＲＬＣ  ＳＤＵが前記第二のＲＬＣ  ＳＤＵと同様である。これから分かるように、第一のＲＬＣ層エンティティに対応する搬送波チャネル条件が第二のＲＬＣ層エンティティに対応する搬送波チャネル条件より優れる場合、第一のＲＬＣ層エンティティによって処理された、第一のＲＬＣ  ＳＤＵに関連付けられた第一のＲＬＣ  ＰＤＵ伝送が完了され、第二のＲＬＣ層エンティティによって処理された、前記第一のＲＬＣ  ＳＤＵと同様である第二のＲＬＣ  ＳＤＵの処理が完了されなく、この場合、第二のＲＬＣ  ＳＤＵの処理を中断することにより、第二のＲＬＣ層エンティティのデータバッファオーバーフローを回避することができ、データ伝送の安定性を向上させることに有利である。
【００９８】
また、第一の装置は第二の装置からのＰＤＵ共通状態情報（Ｃｏｍｍｏｎ  Ｓｔａｔｕｓ  ＰＤＵ）を受信することで、伝送が完了された第一のＲＬＣ  ＳＤＵ、及び前記第一のＲＬＣ  ＳＤＵと対応関係を有する第二のＲＬＣ  ＳＤＵを取得し、これによりデータパケット位置削除の正確性を向上させ、さらにデータ伝送の信頼性を高めることに有利である。
【００９９】
上記図２Ａに示す実施例と一致し、図４を参照し、図４は本発明の実施例による第一の装置の構造図であり、図４に示すように、該第一の装置は、プロセッサ、メモリ、通信インタフェース及び一つ又は複数のプログラムを備え、ここで、前記一つ又は複数のプログラムが前記メモリに記憶され、そして前記プロセッサによって実行されるように構成され、前記プログラムが以下のステップを実行するための命令を含む。
【０１００】
前記第一のＲＬＣ層エンティティによって処理された第一のＲＬＣ  ＳＤＵに関連付けられた第一のＲＬＣ  ＰＤＵの伝送が完了されたことを検出した場合、第二のＲＬＣ  ＳＤＵの処理を中断し、前記ＰＤＣＰ層エンティティのデータ複製伝送機能がアクティブ状態にあり、前記第一のＲＬＣ  ＰＤＵが前記第一のＲＬＣ  ＳＤＵに対応する少なくとも一つのＲＬＣ  ＰＤＵのうちのＲＬＣ  ＰＤＵであり、前記第一のＲＬＣ  ＳＤＵが前記第二のＲＬＣ  ＳＤＵと同様であることを含む。
【０１０１】
これから分かるように、本発明の実施例では、第一の装置は前記第一のＲＬＣ層エンティティによって処理された第一のＲＬＣ  ＳＤＵに関連付けられた第一のＲＬＣ  ＰＤＵの伝送が完了されたことを検出した場合、第二のＲＬＣ  ＳＤＵの処理を中断し、前記ＰＤＣＰ層エンティティのデータ複製伝送機能がアクティブ状態にあり、前記第一のＲＬＣ  ＰＤＵが前記第一のＲＬＣ  ＳＤＵに対応する少なくとも一つのＲＬＣ  ＰＤＵのうちのＲＬＣ  ＰＤＵであり、前記第一のＲＬＣ  ＳＤＵが前記第二のＲＬＣ  ＳＤＵと同様である。これから分かるように、第一のＲＬＣ層エンティティに対応する搬送波チャネル条件が第二のＲＬＣ層エンティティに対応する搬送波チャネル条件より優れる場合、第一のＲＬＣ層エンティティによって処理された、第一のＲＬＣ  ＳＤＵに関連付けられた第一のＲＬＣ  ＰＤＵ伝送が完了され、第二のＲＬＣ層エンティティによって処理された、前記第一のＲＬＣ  ＳＤＵと同様である第二のＲＬＣ  ＳＤＵの処理が完了されなく、この場合、第二のＲＬＣ  ＳＤＵの処理を中断することにより、第二のＲＬＣ層エンティティのデータバッファオーバーフローを回避することができ、データ伝送の安定性を向上させることに有利である。
【０１０２】
一つの可能な例では、前記第二のＲＬＣ  ＳＤＵの処理を中断する方面において、上記プログラムにおける命令は具体的に、第二のＲＬＣ層エンティティにおける処理が完了されない前記第二のＲＬＣ  ＳＤＵを中断するステップ、又は、第一のＲＬＣ層エンティティにおける処理が完了されない前記第二のＲＬＣ  ＳＤＵの処理を中断するステップを実行することに用いられる。
【０１０３】
一つの可能な例では、前記第一のＲＬＣ層エンティティが確認モード（ＡＭ）にある場合、前記第一のＲＬＣ層エンティティによって処理された第一のＲＬＣ  ＳＤＵに関連付けられた第一のＲＬＣ  ＰＤＵの伝送が完了されたことを検出する方面において、上記プログラムにおける命令は具体的に、前記第一のＲＬＣ層エンティティが第二の装置からの確認メッセージ（ＡＣＫ）を受信することを検出し、前記ＡＣＫが前記第一のＲＬＣ  ＰＤＵの伝送が完了されたことを示すことに用いられるステップを実行することに用いられる。
【０１０４】
一つの可能な例では、前記第一のＲＬＣ層エンティティが非確認モード（ＵＭ）にある場合、前記第一のＲＬＣ層エンティティによって処理された第一のＲＬＣ  ＳＤＵに関連付けられた第一のＲＬＣ  ＰＤＵの伝送が完了されたことを検出する方面において、上記プログラムにおける命令は具体的に、前記第一のＲＬＣ層エンティティの前記第一のＲＬＣ  ＳＤＵに関連付けられた前記第一のＲＬＣ  ＰＤＵが既に送信されたことを検出するステップを実行することに用いられる。
【０１０５】
一つの可能な例では、前記第二のＲＬＣ  ＳＤＵの処理を中断する方面において、上記プログラムにおける命令は具体的に、前記ＰＤＣＰ層エンティティを使用して前記第二のＲＬＣ層エンティティへ第一の指示メッセージを送信するステップ、及び前記第二のＲＬＣ層エンティティを使用して前記第一の指示メッセージに応答し、前記処理が完了されない第二のＲＬＣ  ＳＤＵに対するカプセル化操作及び／又はマッピング操作を中断し、そして前記第二のＲＬＣ  ＳＤＵを削除し、前記ＲＬＣ  ＳＤＵが第二のＲＬＣ  ＰＤＵとしてカプセル化及び／又はマッピングされていないステップ、又は、
前記第二のＲＬＣ層エンティティを使用して前記第二のＲＬＣ  ＳＤＵを削除するステップ、又は、
前記ＰＤＣＰ層エンティティを使用して前記第一のＲＬＣ層エンティティへ第一の指示メッセージを送信するステップ、
前記第一のＲＬＣ層エンティティを使用して前記第一の指示メッセージに応答し、前記第二のＲＬＣ  ＳＤＵを削除するステップ、又は、
前記第一のＲＬＣ層エンティティを使用して前記第二のＲＬＣ  ＳＤＵを削除するステップを実行することに用いられる。
【０１０６】
この可能な例では、前記プログラムはさらに、前記ＰＤＣＰ層エンティティを使用して前記第二のＲＬＣ層エンティティへ第一の指示メッセージを送信する前に、前記第一のＲＬＣ層エンティティを使用して前記ＰＤＣＰ層エンティティへ第二の指示メッセージを送信するステップ、及び前記ＰＤＣＰ層エンティティを使用して前記第二の指示メッセージに応答し、前記処理が完了されない第二のＲＬＣ  ＳＤＵに対応するＰＤＣＰ  ＳＤＵとＰＤＣＰ  ＰＤＵを削除するステップを実行するための命令を含む。
【０１０７】
一つの可能な例では、前記第一の装置が端末であり、前記第二の装置がネットワーク側装置であり、前記第一のＲＬＣ層エンティティが確認モード（ＡＭ）にある場合、前記第一のＲＬＣ層エンティティによって処理された第一のＲＬＣ  ＳＤＵに関連付けられた第一のＲＬＣ  ＰＤＵの伝送が完了されたことを検出する方面において、上記プログラムにおける命令は具体的に、前記第一のＲＬＣ層エンティティを使用して前記第二の装置からのＰＤＵ共通状態情報（Ｃｏｍｍｏｎ  Ｓｔａｔｕｓ  ＰＤＵ）を受信するステップ、及び前記ＰＤＵ共通状態情報（Ｃｏｍｍｏｎ  Ｓｔａｔｕｓ  ＰＤＵ）に基づいて前記第一のＲＬＣ層エンティティによって処理された前記第一のＲＬＣ  ＳＤＵに関連付けられた前記第一のＲＬＣ  ＰＤＵの伝送が完了されたことを検出するステップを実行することに用いられる。
【０１０８】
この可能な例では、前記第二のＲＬＣ  ＳＤＵの処理を中断する方面において、上記プログラムにおける命令は具体的に、前記第一のＲＬＣ層エンティティを使用して前記第一のＲＬＣ  ＳＤＵを削除するステップ、及び前記第一のＲＬＣ層エンティティを使用して前記第二のＲＬＣ層エンティティへ第三の指示メッセージを送信し、前記第三の指示メッセージが前記ＰＤＵ共通状態情報（Ｃｏｍｍｏｎ  Ｓｔａｔｕｓ  ＰＤＵ）を含むステップ、及び前記第二のＲＬＣ層エンティティを使用して前記第三の指示メッセージに応答し、前記処理が完了されない第二のＲＬＣ  ＳＤＵに関連付けられた前記第二のＲＬＣ  ＰＤＵに対する伝送操作を中断し、前記第二のＲＬＣ  ＰＤＵが前記第二のＲＬＣ  ＳＤＵに対応する少なくとも一つのＲＬＣ  ＰＤＵにおけるＲＬＣ  ＰＤＵであるステップ、及び前記第二のＲＬＣ  ＰＤＵを削除するステップを実行することに用いられる。
【０１０９】
一つの可能な例では、前記第一の装置が端末である場合、前記第一の指示メッセージ、前記第二の指示メッセージと前記第三の指示メッセージが端末内部の層間シグナリングであり、又は、
前記第一の装置がネットワーク側装置である場合、前記第一の指示メッセージと前記第二の指示メッセージがネットワーク側の各エンティティ同士の情報である。
【０１１０】
上記図３Ａに示す実施例と一致し、図５を参照し、図５は本発明の実施例による第二の装置の構造図であり、図５に示すように、該第二の装置は、プロセッサ、メモリ、通信インタフェース及び一つ又は複数のプログラムを備え、ここで、前記一つ又は複数のプログラムが前記メモリに記憶され、そして前記プロセッサによって実行されるように構成され、前記プログラムが以下のステップを実行するための命令を含む。
【０１１１】
第一の装置へ確認メッセージ（ＡＣＫ）を送信し、前記ＡＣＫが、第一のＲＬＣ層エンティティによって処理された第一のＲＬＣ  ＳＤＵに関連付けられた第一のＲＬＣ  ＰＤＵ伝送が完了されたことを検出した場合に第二のＲＬＣ  ＳＤＵの処理を中断するために前記第一の装置によって使用され、前記第一のＲＬＣ  ＳＤＵが前記第二のＲＬＣ  ＳＤＵと同様であり、前記第一のＲＬＣ  ＰＤＵが前記第一のＲＬＣ  ＳＤＵに対応する少なくとも一つのＲＬＣ  ＰＤＵのうちのＲＬＣ  ＰＤＵであり、前記第一の装置のＰＤＣＰ層エンティティのデータ複製伝送機能がアクティブ状態にある。
【０１１２】
これから分かるように、本発明の実施例では、第二の装置は第一の装置へ確認メッセージ（ＡＣＫ）を送信し、前記ＡＣＫが、第一のＲＬＣ層エンティティによって処理された第一のＲＬＣ  ＳＤＵに関連付けられた第一のＲＬＣ  ＰＤＵ伝送が完了されたことを検出した場合、第二のＲＬＣ  ＳＤＵの処理を中断するために前記第一の装置によって使用され、前記第一のＲＬＣ  ＳＤＵが前記第二のＲＬＣ  ＳＤＵと同様であり、前記第一のＲＬＣ  ＰＤＵが前記第一のＲＬＣ  ＳＤＵに対応する少なくとも一つのＲＬＣ  ＰＤＵのうちのＲＬＣ  ＰＤＵであり、前記第一の装置のＰＤＣＰ層エンティティのデータ複製伝送機能がアクティブ状態にある。これから分かるように、第一のＲＬＣ層エンティティに対応する搬送波チャネル条件が第二のＲＬＣ層エンティティに対応する搬送波チャネル条件より優れる場合、第一のＲＬＣ層エンティティによって処理された、第一のＲＬＣ  ＳＤＵに関連付けられた第一のＲＬＣ  ＰＤＵ伝送が完了され、第二のＲＬＣ層エンティティによって処理された、前記第一のＲＬＣ  ＳＤＵと同様である第二のＲＬＣ  ＳＤＵの処理が完了されなく、この場合、第二のＲＬＣ  ＳＤＵの処理を中断することにより、第二のＲＬＣ層エンティティのデータバッファオーバーフローを回避することができ、データ伝送の安定性を向上させることに有利である。
【０１１３】
以上に各ネットワーク要素間のインタラクションの観点から本発明の実施例の解決策を説明した。第一の装置と第二の装置が上記機能を実現するために、各機能を実行するための対応するハードウェア構造及び／又はソフトウェアモジュールを含むことは理解できる。当業者は、本明細書で開示された実施例と組み合わせて説明された各例のユニット及びアルゴリズムステップが本発明でハードウェアとコンピュータソフトウェアの組み合わせで実現されてもよいことを容易に理解するべきである。ある機能がハードウェア又はコンピュータソフトウェアでハードウェアを駆動するという方式で実行されるかは、技術的解決策の特定アプリケーションと設計制約条件に依存する。当業者は各特定のアプリケーションに対して異なる方法を用いて記述される機能を実現することができるが、このような実現は本発明の範囲を超えると考えられるべきではない。
【０１１４】
本発明の実施例は上記方法の例に基づいて第一の装置と第二の装置に対して機能ユニットの区分を行うことができ、例えば、各機能に対応して各機能ユニットを区分することができ、２つ以上の機能を一つの処理ユニットに統合することもできる。上記の統合されたユニットはハードウェアの形態で実現されてもよいし、ソフトウェアプログラムモジュールの形態で実現されてもよい。説明すべきものとして、本発明の実施例ではユニットに対する区分は概略的であり、論理的な機能区分に過ぎず、実際に実施する時に他の区分方式があり得る。
【０１１５】
統合されたユニットを用いる場合、図６に上記実施例に係る第一の装置の第一の可能な機能ユニット構成ブロック図が示される。第一の装置６００は処理ユニット６０２と通信ユニット６０３を備える。処理ユニット６０２は第一の装置の動作を制御して管理するように構成され、例えば、処理ユニット６０２は第一の装置が図２Ａのステップ２０１、図３Ａのステップ３ａ０２−３ａ０６、図３Ｂのステップ３ｂ０１−３ｂ０５、図３Ｃのステップ３ｃ０２−３ｃ０６及び又は本明細書に記載される技術のための他のプロセスを実行することをサポートするように構成される。通信ユニット６０３は第一の装置と他の装置の通信、例えば図５に示される第二の装置との通信をサポートするように構成される。第一の装置は第一の装置のプログラムコードとデータを記憶するように構成される記憶ユニット６０１をさらに備えることができる。
【０１１６】
ここで、処理ユニット６０２は、プロセッサ又はコントローラであってもよく、例えば中央プロセッサ（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、トランジスタ論理デバイス、ハードウェア部材又はそれらの任意の組み合わせであってもよい。それは本発明で開示された内容を組み合わせて説明された様々な例示的な論理ブロック、モジュール及び回路を実現又は実行することができる。前記プロセッサは計算機能を実現する組み合わせであってもよく、例えば一つ又は複数のマイクロプロセッサの組み合わせ、ＤＳＰとマイクロプロセッサの組み合わせなどを含む。通信ユニット６０３は通信インタフェース、送受信回路などであってもよく、記憶ユニット６０１はメモリであってもよい。
【０１１７】
ここで、前記処理ユニット６０２は前記第一のＲＬＣ層エンティティによって処理された第一のＲＬＣ  ＳＤＵに関連付けられた第一のＲＬＣ  ＰＤＵの伝送が完了されたことを検出した場合、第二のＲＬＣ  ＳＤＵの処理を中断するように構成され、前記ＰＤＣＰ層エンティティのデータ複製伝送機能がアクティブ状態にあり、前記第一のＲＬＣ  ＰＤＵが前記第一のＲＬＣ  ＳＤＵに対応する少なくとも一つのＲＬＣ  ＰＤＵのうちのＲＬＣ  ＰＤＵであり、前記第一のＲＬＣ  ＳＤＵが前記第二のＲＬＣ  ＳＤＵと同様である。
【０１１８】
ここで、前記ＰＤＣＰ層エンティティのデータ複製伝送機能も非アクティブ状態にあり得るが、ここで唯一に限定されない。
【０１１９】
ここで、前記第二のＲＬＣ  ＳＤＵは再送されたＰＤＣＰ  ＰＤＵを含む。又は、前記第二のＲＬＣ  ＳＤＵは再送されたＰＤＣＰ  ＰＤＵを含まない。前記再送されたＰＤＣＰ  ＰＤＵはＰＤＣＰデータ復元プロセスに再送されたＰＤＣＰ  ＰＤＵであり、該ＰＤＣＰ  ＰＤＵがＰＤＣＰ再送ＰＤＵであり、ＲＬＣ層のＳＤＵである。
【０１２０】
一つの可能な例では、前記第二のＲＬＣ  ＳＤＵの処理を中断する方面において、前記処理ユニット６０２は具体的に第二のＲＬＣ層エンティティにおける処理が完了されない前記第二のＲＬＣ  ＳＤＵを中断するように構成され、又は、第一のＲＬＣ層エンティティにおける処理が完了されない前記第二のＲＬＣ  ＳＤＵの処理を中断するように構成される。
【０１２１】
一つの可能な例では、前記第一のＲＬＣ層エンティティが確認モード（ＡＭ）にある場合、前記第一のＲＬＣ層エンティティによって処理された第一のＲＬＣ  ＳＤＵに関連付けられた第一のＲＬＣ  ＰＤＵの伝送が完了されたことを検出する方面において、前記処理ユニット６０２は具体的に前記第一のＲＬＣ層エンティティが前記通信ユニット６０３を介して第二の装置からの確認メッセージ（ＡＣＫ）を受信することを検出するように構成され、前記ＡＣＫが前記第一のＲＬＣ  ＰＤＵの伝送が完了されたことを示すことに用いられる。
【０１２２】
一つの可能な例では、前記第一のＲＬＣ層エンティティが非確認モード（ＵＭ）にある場合、前記第一のＲＬＣ層エンティティによって処理された第一のＲＬＣ  ＳＤＵに関連付けられた第一のＲＬＣ  ＰＤＵの伝送が完了されたことを検出する方面において、前記処理ユニット６０２は具体的に前記第一のＲＬＣ層エンティティにおける前記第一のＲＬＣ  ＳＤＵに関連付けられた前記第一のＲＬＣ  ＰＤＵが既に送信されたことを検出するように構成される。
【０１２３】
一つの可能な例では、前記第二のＲＬＣ  ＳＤＵの処理を中断する方面において、前記処理ユニット６０２は具体的に前記ＰＤＣＰ層エンティティを使用して前記第二のＲＬＣ層エンティティへ第一の指示メッセージを送信し、前記第二のＲＬＣ層エンティティを使用して前記第一の指示メッセージに応答し、前記処理が完了されない第二のＲＬＣ  ＳＤＵに対するカプセル化操作及び／又はマッピング操作を中断し、そして前記第二のＲＬＣ  ＳＤＵを削除するように構成され、前記ＲＬＣ  ＳＤＵが第二のＲＬＣ  ＰＤＵとしてカプセル化及び／又はマッピングされ、又は、
前記第二のＲＬＣ層エンティティを使用して前記第二のＲＬＣ  ＳＤＵを削除するように構成され、又は、
前記ＰＤＣＰ層エンティティを使用して前記第一のＲＬＣ層エンティティへ第一の指示メッセージを送信するように構成され、
前記第一のＲＬＣ層エンティティを使用して前記第一の指示メッセージに応答し、前記第二のＲＬＣ  ＳＤＵを削除するように構成され、又は、
前記第一のＲＬＣ層エンティティを使用して前記第二のＲＬＣ  ＳＤＵを削除するように構成される。
【０１２４】
この可能な例では、前記処理ユニット６０２は前記ＰＤＣＰ層エンティティを使用して前記第二のＲＬＣ層エンティティへ第一の指示メッセージを送信する前に、前記第一のＲＬＣ層エンティティを使用して前記ＰＤＣＰ層エンティティへ第二の指示メッセージを送信し、前記ＰＤＣＰ層エンティティを使用して前記第二の指示メッセージに応答し、前記処理が完了されない第二のＲＬＣ  ＳＤＵに対応するＰＤＣＰ  ＳＤＵとＰＤＣＰ  ＰＤＵを削除するように構成される。
【０１２５】
一つの可能な例では、前記第一の装置が端末であり、前記第二の装置がネットワーク側装置であり、前記第一のＲＬＣ層エンティティが確認モード（ＡＭ）にある場合、前記第一のＲＬＣ層エンティティによって処理された第一のＲＬＣ  ＳＤＵに関連付けられた第一のＲＬＣ  ＰＤＵの伝送が完了されたことを検出する方面において、前記処理ユニット６０２は具体的に、前記第一のＲＬＣ層エンティティを使用して前記第二の装置からのＰＤＵ共通状態情報（Ｃｏｍｍｏｎ  Ｓｔａｔｕｓ  ＰＤＵ）を受信するように構成され、前記ＰＤＵ共通状態情報（Ｃｏｍｍｏｎ  Ｓｔａｔｕｓ  ＰＤＵ）に基づいて前記第一のＲＬＣ層エンティティによって処理された前記第一のＲＬＣ  ＳＤＵに関連付けられた前記第一のＲＬＣ  ＰＤＵの伝送が完了されたことを検出するように構成される。
【０１２６】
この可能な例では、前記第二のＲＬＣ  ＳＤＵの処理を中断する方面において、前記処理ユニット６０２は具体的に前記第一のＲＬＣ層エンティティを使用して前記第一のＲＬＣ  ＳＤＵを削除するように構成され、前記第一のＲＬＣ層エンティティを使用して前記第二のＲＬＣ層エンティティへ第三の指示メッセージを送信するように構成され、前記第三の指示メッセージが前記ＰＤＵ共通状態情報（Ｃｏｍｍｏｎ  Ｓｔａｔｕｓ  ＰＤＵ）を含み、前記第二のＲＬＣ層エンティティを使用して前記第三の指示メッセージに応答し、前記処理が完了されない第二のＲＬＣ  ＳＤＵに関連付けられた前記第二のＲＬＣ  ＰＤＵに対する伝送操作を中断するように構成され、前記第二のＲＬＣ  ＰＤＵが前記第二のＲＬＣ  ＳＤＵに対応する少なくとも一つのＲＬＣ  ＰＤＵにおけるＲＬＣ  ＰＤＵであり、前記第二のＲＬＣ  ＰＤＵを削除するように構成される。
【０１２７】
一つの可能な例では、前記第一の装置が端末である場合、前記第一の指示メッセージ、前記第二の指示メッセージと前記第三の指示メッセージが端末内部の層間シグナリングであり、又は、
前記第一の装置がネットワーク側装置である場合、前記第一の指示メッセージと前記第二の指示メッセージがネットワーク側の各エンティティ同士の情報である。
【０１２８】
処理ユニット６０２がプロセッサであり、通信ユニット６０３が通信インタフェースであり、記憶ユニット６０１がメモリである場合、本発明の実施例に係る第一の装置は図４に示す第一の装置であってもよい。
【０１２９】
統合されたユニットを用いる場合、図７に上記実施例に係る第二の装置の一つの可能な機能ユニット構成ブロック図が示される。第二の装置７００は処理ユニット７０２と通信ユニット７０３を備える。処理ユニット７０２は第二の装置の動作を制御して管理するように構成され、例えば、処理ユニット７０２は第二の装置が図３Ａのステップ３ａ０１、図３Ｃのステップ３ｃ０１及び又は本明細書に記載される技術のための他のプロセスを実行することをサポートするように構成される。通信ユニット７０３は第二の装置と他の装置の通信、例えば図４に示す第一の装置との通信をサポートするように構成される。第二の装置は第二の装置のプログラムコードとデータを記憶するように構成される記憶ユニット７０１をさらに備えることができる。
【０１３０】
ここで、処理ユニット７０２は、プロセッサ又はコントローラであってもよく、例えば中央プロセッサ（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、トランジスタ論理デバイス、ハードウェア部材又はそれらの任意の組み合わせであってもよい。それは本発明で開示された内容を組み合わせて説明された様々な例示的な論理ブロック、モジュール及び回路を実現又は実行することができる。前記プロセッサは計算機能を実現する組み合わせであってもよく、例えば一つ又は複数のマイクロプロセッサの組み合わせ、ＤＳＰとマイクロプロセッサの組み合わせなどを含む。通信ユニット７０３は通信インタフェース、送受信回路、ＲＦチップなどであってもよく、記憶ユニット７０１はメモリであってもよい。
【０１３１】
ここで、前記処理ユニット７０２は前記通信ユニット７０３を介して第一の装置へ確認メッセージ（ＡＣＫ）を送信するように構成され、前記ＡＣＫが、第一のＲＬＣ層エンティティによって処理された第一のＲＬＣ  ＳＤＵに関連付けられた第一のＲＬＣ  ＰＤＵ伝送が完了されたことを検出した場合、第二のＲＬＣ  ＳＤＵの処理を中断するために前記第一の装置によって使用され、前記第一のＲＬＣ  ＳＤＵが前記第二のＲＬＣ  ＳＤＵと同様であり、前記第一のＲＬＣ  ＰＤＵが前記第一のＲＬＣ  ＳＤＵに対応する少なくとも一つのＲＬＣ  ＰＤＵのうちのＲＬＣ  ＰＤＵであり、前記第一の装置のＰＤＣＰ層エンティティのデータ複製伝送機能がアクティブ状態にある。
【０１３２】
処理ユニット７０２がプロセッサであり、通信ユニット７０３が通信インタフェースであり、記憶ユニット７０１がメモリである場合、本発明の実施例に係る第二の装置は図５に示す第二の装置であってもよい。
【０１３３】
本発明の実施例はさらに端末を提供し、図８に示すように、説明を容易にするために、本発明の実施例と関連する部分だけが示され、具体的な技術的詳細については、本発明の実施例の方法部分を参照する。該端末は携帯電話、タブレット型コンピュータ、ＰＤＡ（Ｐｅｒｓｏｎａｌ  Ｄｉｇｉｔａｌ  Ａｓｓｉｓｔａｎｔ：パーソナルデジタルアシスタント）、ＰＯＳ（Ｐｏｉｎｔ  ｏｆ  Ｓａｌｅｓ：販売端末）、車載型コンピュータなどを含む任意の端末装置をあってもよく、端末を例とする。
【０１３４】
図８は本発明の実施例による端末と関連付けられた携帯電話の部分構造のブロック図である。図８を参照すると、携帯電話は無線周波数（ＲＦ：Ｒａｄｉｏ  Ｆｒｅｑｕｅｎｃｙ）回路９１０、メモリ９２０、入力ユニット９３０、表示ユニット９４０、センサー９５０、オーディオ回路９６０、ワイヤレスフィデリティ（ＷｉＦｉ：Ｗｉｒｅｌｅｓｓ  Ｆｉｄｅｌｉｔｙ）モジュール９７０、プロセッサ９８０、及び電源９９０などの部材を含む。当業者であれば、図８に示す携帯電話の構成が携帯電話を限定するためのものではなく、図示よりもより多い又はより少ない部材を含むことができ、又はいくつかの部品、又は異なる部材を組み合わせて配置されてもよいことを理解できる。
【０１３５】
以下に図８と組み合わせて携帯電話の各構成部材を具体的に説明する。
【０１３６】
ＲＦ回路９１０は情報の受信及び送信に用いられてもよい。通常、ＲＦ回路９１０はアンテナ、少なくとも一つの増幅器、送受信機、カプラ、低雑音増幅器（ＬＮＡ：Ｌｏｗ  Ｎｏｉｓｅ  Ａｍｐｌｉｆｉｅｒ）、デュプレクサなどを含むがこれらに限定されない。また、ＲＦ回路９１０はさらに無線通信及びネットワークを介して他の装置と通信することができる。上記無線通信は、いずれかの通信基準又はプロトコルを用いることができ、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、汎用パケット無線サービス（ＧＰＲＳ：Ｇｅｎｅｒａｌ  Ｐａｃｋｅｔ  Ｒａｄｉｏ  Ｓｅｒｖｉｃｅ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）、広帯域符号分割多元接続（ＷＣＤＭＡ：ｉｄｅｂａｎｄ  Ｃｏｄｅ  Ｄｉｖｉｓｉｏｎ  Ｍｕｌｔｉｐｌｅ  Ａｃｃｅｓｓ）、長期発展型（ＬＴＥ：Ｌｏｎｇ  Ｔｅｒｍ  Ｅｖｏｌｕｔｉｏｎ）、電子メール、ショートメッセージングサービス（ＳＭＳ：Ｓｈｏｒｔ  Ｍｅｓｓａｇｉｎｇ  Ｓｅｒｖｉｃｅ）などを含むがこれらに限定されない。
【０１３７】
メモリ９２０はソフトウェアプログラムおよびモジュールを記憶することに用いられてもよく、プロセッサ９８０はメモリ９２０に格納されたソフトウェアプログラム及びモジュールを動作させることにより、携帯電話の各種の機能アプリケーション及びデータ処理を実行する。メモリ９２０は主にプログラム記憶領域とデータ記憶領域を含むことができ、そのうち、プログラム記憶領域がオペレーティングシステム、少なくとも一つの機能に必要なアプリケーションプログラムなどを記憶することができ、データ記憶領域が携帯電話の使用に応じて作成されたデータ等を記憶することができる。また、リザーバ９２０は高速ランダムアクセスメモリを含むことができ、さらに不揮発性メモリ、例えば少なくとも一つの磁気ディスク記憶デバイス、フラッシュメモリデバイス、又は他の揮発性ソリッドステートメモリデバイスを含むことができる。
【０１３８】
入力ユニット９３０は入力された数字又は文字情報を受信し、携帯電話のユーザ設定及び機能制御に関するキー信号入力を生成することに用いられてもよい。具体的には、入力ユニット９３０は指紋識別モジュール９３１及び他の入力装置９３２を含むことができる。指紋識別モジュール９３１はその上のユーザの指紋データを収集することができる。指紋識別モジュール９３１に加えて、入力ユニット９３０はさらに他の入力装置９３２を含むことができる。具体的には、他の入力装置９３２はタッチスクリーン、物理キーボード、機能キー（例えば音量制御キー、スイッチキー等）、トラックボール、マウス、ジョイスティックなどのうちの一つ又は複数を含むことができるがこれらに限定されない。
【０１３９】
表示ユニット９４０はユーザにより入力された情報又はユーザに供給された情報及び携帯電話の様々なメニューを表示することに用いられてもよい。表示ユニット９４０はディスプレイ９４１を含むことができ、選択可能に、液晶ディスプレイ（ＬＣＤ：Ｌｉｑｕｉｄ  Ｃｒｙｓｔａｌ  Ｄｉｓｐｌａｙ）、有機発光ダイオード（ＯＬＥＤ：Ｏｒｇａｎｉｃ  Ｌｉｇｈｔ−Ｅｍｉｔｔｉｎｇ  Ｄｉｏｄｅ）などの形態でディスプレイ９４１を構成することができる。図８では、指紋識別モジュール９３１とディスプレイ９４１は二つの独立した部材として携帯電話の入力及び入力機能を実現するが、いくつかの実施例では、指紋識別モジュール９３１とディスプレイ９４１を統合して形態電話の入力と放送機能を実現することができる。
【０１４０】
携帯電話はさらに少なくとも一つのセンサー９５０、例えば光センサー、モーションセンサー及び他のセンサーを備えることができる。具体的には、光センサーは周辺光センサー及び近接センサーを含むことができ、ここで、周辺光センサーが周辺光の明るさに応じてディスプレイ９４１の輝度を調節することができ、近接センサーが携帯電話が耳に移動する時に、ディスプレイ９４１及び／又はバックライトをオフにすることができる。モーションセンサーの一種として、加速度センサーは各方向（一般的に三つの軸である）の加速度の大きさを検出でき、静止する時に重力の大きさおよび方向を検出でき、携帯電話ジェスチャーの用途（例えば水平及び垂直画面の切り替え、関連ゲーム、磁力計のジェスチャー校正）、振動識別関連機能（例えば歩数計、叩き）などに用いられてもよく、携帯電話に対してジャイロ、気圧計、湿度計、温度計、赤外線センサー等の他のセンサーを配置することもでき、ここで説明を省略する。
【０１４１】
オーディオ回路９６０、スピーカ９６１、マイクロフォン９６２はユーザと携帯電話との間のオーディオインタフェースを提供することができる。オーディオ回路９６０は受信されたオーディオデータが変換された電気信号を、スピーカ９６１に伝送することができ、スピーカ９６１によって音声信号に変換して放送することができ、一方では、マイクロフォン９６２は収集された音声信号を電気信号に変換し、オーディオ回路９６０によって受信してオーディオデータに変換し、オーディオデータをプロセッサ９８０に放送して処理した後、ＲＦ回路９１０を介して例えば別の携帯電話に送信し、又はオーディオデータをメモリ９２０に放送して処理する。
【０１４２】
ＷｉＦｉが短距離無線伝送技術に属し、携帯電話はＷｉＦｉモジュール９７０を介してユーザによる電子メールの送受信、ウェウブページへの閲覧及びストリーミングメディアへのアクセスなどに役立つことができ、それはユーザに無線広帯域インターネットアクセスを提供する。図８に無線通信ユニット９７０が示されるが、それが携帯電話の必要な構成に属せず、完全に需要に応じて発明の本質を変更しない範囲で省略されてもよいことは、理解できる。
【０１４３】
プロセッサ９８０は携帯電話の制御センターであり、様々なインタフェース又は回線を用いて携帯電話全体の各部分を接続し、メモリ９２０に記憶されたソフトウェアプログラム及び／又はモジュールを動作又は実行し、メモリ９２０に記憶されたデータを使用し、携帯電話の様々な機能及び処理データを実行することにより、携帯電話全体を監視する。選択可能に、プロセッサ９８０は一つ又は複数の処理ユニットを含むことができ、好ましくは、プロセッサ９８０はアプリケーションプロセッサとモデムプロセッサを統合すことができ、ここで、アプリケーションプロセッサが主に操作システム、ユーザインタフェースとアプリケーションプログラムなどを処理し、モデムプロセッサが主に無線通信を処理する。上記モデムプロセッサがプロセッサ９８０に集積されなくてもよいことは、理解できる。
【０１４４】
携帯電話はさらに各部品に電力を供給する電源９９０（例えば電池）を含み、好ましくは、電源は電源管理システムを介してプロセッサ９８０に論理的に接続されてもよく、これにより電源管理システムによって充電、放電、および電力消費管理などの機能を実現する。
【０１４５】
図示していないが、携帯電話はさらにカメラ、ブルートゥースモジュール等を備えることができ、ここでは説明を省略する。
【０１４６】
前記図２Ａ、図３Ａ−図３Ｃに示す実施例では、各ステップ方法におおける第一の装置又は第二の装置が端末である時のプロセスは該携帯電話の構造に基づいて実現されてもよい。
【０１４７】
前記図４、図５に示す実施例では、各ユニットの機能は該携帯電話の構造に基づいて実現されてもよい。
【０１４８】
本発明の実施例はさらにコンピュータ可読記憶媒体を提供し、ここで前記コンピュータ可読記憶媒体が電子データ交換のためのコンピュータプログラムを記憶し、ここで、前記コンピュータプログラムによりコンピュータが上記方法の実施例における第一の装置で説明された一部又は全てのステップを実行する。
【０１４９】
本発明の実施例はさらにコンピュータ可読記憶媒体を提供し、ここで前記コンピュータ可読記憶媒体が電子データ交換のためのコンピュータプログラムを記憶し、ここで、前記コンピュータプログラムによりコンピュータが上記方法の実施例における第二の装置で説明された一部又は全てのステップを実行する。
【０１５０】
本発明の実施例はさらにコンピュータプログラム製品を提供し、ここで、前記コンピュータプログラム製品がコンピュータプログラムを記憶する非一時的コンピュータ可読記憶媒体を含み、前記コンピュータプログラムがコンピュータに上記方法における第一の装置で説明された一部又は全てのステップを実行させるように動作されてもよい。該コンピュータプログラム製品は、一つのソフトウェアインストールパッケージであってもよい。
【０１５１】
本発明の実施例はさらにコンピュータプログラム製品を提供し、ここで、前記コンピュータプログラム製品がコンピュータプログラムを記憶する非一時的コンピュータ可読記憶媒体を含み、前記コンピュータプログラムがコンピュータに上記方法における第二の装置で説明された一部又は全てのステップを実行させるように動作されてもよい。該コンピュータプログラム製品は、一つのソフトウェアインストールパッケージであってもよい。
【０１５２】
本発明の実施例で説明された方法又はアルゴリズムのステップはハードウェアで実現されてもよいし、プロセッサがソフトウェア命令を実行することで実現されてもよい。ソフトウェア命令が対応するソフトウェアモジュールで構成されてもよく、ソフトウェアモジュールはランダムアクセスメモリ（ＲＡＭ：Ｒａｎｄｏｍ  Ａｃｃｅｓｓ  Ｍｅｍｏｒｙ）、フラッシュメモリ、読み出し専用メモリ（ＲＯＭ：Ｒｅａｄ  Ｏｎｌｙ  Ｍｅｍｏｒｙ）、消去可能プログラマブルＲＯＭ（ＥＰＲＯＭ：Ｅｒａｓａｂｌｅ  Ｐｒｏｇｒａｍｍａｂｌｅ  ＲＯＭ）、電気的消去可能プログラマブル読み取り専用メモリ（ＥＥＰＲＯＭ：Ｅｌｅｃｔｒｉｃａｌｌｙ  ＥＰＲＯＭ）、レジスタ、ハードディスク、モバイルハードディスク、読み出し専用光ディスク（ＣＤ−ＲＯＭ）又は本分野の既知のいかなる他の形態の記憶媒体に記憶されてもよい。一つの例示的な記憶媒体がプロセッサに結合され、これによりプロセッサは該記憶媒体から情報を読み取ることができ、且つ該記憶媒体に情報を書き込むことができる。当然、記憶媒体はプロセッサの構成部分であってもよい。プロセッサと記憶媒体はＡＳＩＣに位置してもよい。また、該ＡＳＩＣはアクセスネットワーク装置、ターゲットネットワーク装置又はコアネットワーク装置に位置してもよい。当然、プロセッサと記憶媒体は該ＡＳＩＣはディスクリートコンポーネントとしてアクセスネットワーク装置、ターゲットネットワーク装置又はコアネットワーク装置に位置してもよい。
【０１５３】
当業者は、上述した一つ又は複数の例において、本発明の実施例で説明された機能が全部又は一部でソフトウェア、ハードウェア、ファームウェア又はそれらの任意の組み合わせによって実現されてもよいことを理解することができる。ソフトウェアで実現される場合、全て又は部分的にコンピュータプログラム製品の形で実現されてもよい。前記コンピュータプログラム製品は一つ又は複数のコンピュータ命令を含む。コンピュータで前記コンピュータプログラム命令をロードして実行する場合、本発明の実施例に従って説明されたプロセス又は機能を全て又は部分的に生成する。前記コンピュータは汎用コンピュータ、専用コンピュータ、コンピュータネットワーク、又は他のプログラマブルデバイスであってもよい。前記コンピュータ命令はコンピュータ可読記憶媒体に記憶されてもよく、又は一つのコンピュータ読記憶媒体から別のコンピュータ読記憶媒体に伝送されてもよく、例えば、前記コンピュータ命令は一つウェブサイト、コンピュータ、サーバ又はデータセンターから別のウェブサイト、コンピュータ、サーバ又はデータセンターに有線（例えば同軸ケーブル、光ファイバ、デジタル加入者線（ＤＳＬ：Ｄｉｇｉｔａｌ  Ｓｕｂｓｃｒｉｂｅｒ  Ｌｉｎｅ））又は無線（例えば赤外線、無線、マイクロ波など）で伝送されてもよい。前記コンピュータ読記憶媒体はコンピュータがアクセスできるいかなる利用可能な媒体であってもよく、又は一つ又は複数の利用可能な媒体で集積されたサーバ、データセンターなどのデータ記憶装置を含む。前記利用可能な媒体は磁気媒体（例えばフロッピーディスク、ハードディスク、磁気テープ）、光学媒体（例えばデジタルビデオディスク（ＤＶＤ：Ｄｉｇｉｔａｌ  Ｖｉｄｅｏ  Ｄｉｓｃ））、又は半導体媒体（例えばソリッドステートディスク（ＳＳＤ：Ｓｏｌｉｄ  Ｓｔａｔｅ  Ｄｉｓｋ））などであってもよい。
【０１５４】
上記の具体的な実施形態では、本発明の実施例の目的、技術的解決策と有益な効果をさらに詳しく説明し、理解すべきものとして、上記は本発明の具体的な実施例の具体的な実施形態に過ぎず、本発明の実施例の保護範囲を限定するためのものではなく、本発明の実施例の技術的解決策に基づいて行われるいかなる修正、同等置き換え、改良などは、いずれも本開示の保護範囲内に含まれるべきである。
【手続補正２】
【補正対象書類名】特許請求の範囲
【補正対象項目名】全文
【補正方法】変更
【補正の内容】
【特許請求の範囲】
【請求項１】
データ処理方法であって、第一の装置に応用され、前記第一の装置がＰＤＣＰ層エンティティと第一のＲＬＣ層エンティティを含み、前記方法は、
前記第一のＲＬＣ層エンティティによって処理された第一のＲＬＣ  ＳＤＵに関連付けられた第一のＲＬＣ  ＰＤＵの伝送が完了されたことを検出した場合、第二のＲＬＣ  ＳＤＵの処理を中断し、前記第一のＲＬＣ  ＰＤＵが前記第一のＲＬＣ  ＳＤＵに対応する少なくとも一つのＲＬＣ  ＰＤＵのうちのＲＬＣ  ＰＤＵであり、前記第一のＲＬＣ  ＳＤＵが前記第二のＲＬＣ  ＳＤＵと同様であることを含む、前記データ処理方法。
【請求項２】
前記ＰＤＣＰ層エンティティのデータ複製、伝送機能がアクティブ状態にある
請求項１に記載の方法。
【請求項３】
前記第二のＲＬＣ  ＳＤＵの処理を中断することは、
第二のＲＬＣ層エンティティにおける処理が完了されない前記第二のＲＬＣ  ＳＤＵの処理を中断することを含むことを特徴とする
請求項１又は２に記載の方法。
【請求項４】
前記第二のＲＬＣ  ＳＤＵの処理を中断することは、
第一のＲＬＣ層エンティティにおける処理が完了されない前記第二のＲＬＣ  ＳＤＵの処理を中断することを含むことを特徴とする
請求項１又は２に記載の方法。
【請求項５】
前記第一のＲＬＣ層エンティティが確認モード（ＡＭ）にあり、前記第一のＲＬＣ層エンティティによって処理された第一のＲＬＣ  ＳＤＵに関連付けられた第一のＲＬＣ  ＰＤＵの伝送が完了されたことを検出することは、
前記第一のＲＬＣ層エンティティが第二の装置からの確認メッセージ（ＡＣＫ）を受信することを検出し、前記ＡＣＫが前記第一のＲＬＣ  ＰＤＵの伝送が完了されたことを示すことに用いられることを含むことを特徴とする
請求項１−４のいずれか一項に記載の方法。
【請求項６】
前記第一のＲＬＣ層エンティティが非確認モード（ＵＭ）にあり、前記第一のＲＬＣ層エンティティによって処理された第一のＲＬＣ  ＳＤＵに関連付けられた第一のＲＬＣ  ＰＤＵの伝送が完了されたことを検出することは、
前記第一のＲＬＣ層エンティティにおける前記第一のＲＬＣ  ＳＤＵに関連付けられた前記第一のＲＬＣ  ＰＤＵが送信されたことを検出することを含むことを特徴とする、
請求項１−４のいずれか一項に記載の方法。
【請求項７】
前記第二のＲＬＣ  ＳＤＵの処理を中断することは、
前記第二のＲＬＣ層エンティティを使用して前記第二のＲＬＣ  ＳＤＵを削除することを含むことを特徴とする
請求項５又は６に記載の方法。
【請求項８】
前記第二のＲＬＣ  ＳＤＵの処理を中断することは、
前記ＰＤＣＰ層エンティティを使用して前記第一のＲＬＣ層エンティティへ第一の指示メッセージを送信することと、
前記第一のＲＬＣ層エンティティを使用して前記第一の指示メッセージに応答し、前記第二のＲＬＣ  ＳＤＵを削除することとを含み、又は、
前記第二のＲＬＣ  ＳＤＵの処理を中断することは、
前記ＰＤＣＰ層エンティティを使用して前記第二のＲＬＣ層エンティティへ第一の指示メッセージを送信することと、
前記第二のＲＬＣ層エンティティを使用して前記第一の指示メッセージに応答し、前記第二のＲＬＣ  ＳＤＵを削除し、前記第二のＲＬＣ  ＳＤＵが第二のＲＬＣ  ＰＤＵとしてカプセル化及び／又はマッピングされていないことを含む  前記ＰＤＣＰ層エンティティを使用して前記第二のＲＬＣ層エンティティへ第一の指示メッセージを送信することと、
前記第二のＲＬＣ層エンティティを使用して前記第一の指示メッセージに応答し、前記第二のＲＬＣ  ＳＤＵを削除し、前記第二のＲＬＣ  ＳＤＵが第二のＲＬＣ  ＰＤＵとしてカプセル化及び／又はマッピングされていないことを含み、又は、
前記第二のＲＬＣ  ＳＤＵの処理を中断することは、
前記第一のＲＬＣ層エンティティを使用して前記第二のＲＬＣ  ＳＤＵを削除することを含み、又は、
前記第二のＲＬＣ  ＳＤＵの処理を中断することは、
前記第一のＲＬＣ層エンティティを使用して前記第一のＲＬＣ  ＳＤＵを削除することと、
前記第一のＲＬＣ層エンティティを使用して前記第二のＲＬＣ層エンティティへ第三の指示メッセージを送信し、前記第三の指示メッセージが前記ＰＤＵ共通状態情報（Ｃｏｍｍｏｎ  Ｓｔａｔｕｓ  ＰＤＵ）を含むことと、
前記第二のＲＬＣ層エンティティを使用して前記第三の指示メッセージに応答し、前記処理が完了されない第二のＲＬＣ  ＳＤＵに関連付けられた前記第二のＲＬＣ  ＰＤＵに対する伝送操作を中断し、前記第二のＲＬＣ  ＰＤＵが前記ＲＬＣ  ＳＤＵに対応する少なくとも一つのＲＬＣ  ＰＤＵのうちのＲＬＣ  ＰＤＵであることと、
前記第二のＲＬＣ  ＰＤＵを削除することとを含むことを特徴とする
請求項５又は６に記載の方法。
【請求項９】
前記ＰＤＣＰ層エンティティを使用して前記第二のＲＬＣ層エンティティへ第一の指示メッセージを送信する前に、前記方法はさらに、
前記第一のＲＬＣ層エンティティを使用して前記ＰＤＣＰ層エンティティへ第二の指示メッセージを送信することと、
前記第ＰＤＣＰ層エンティティを使用して前記第二の指示メッセージに応答し、前記処理が完了されない第二のＲＬＣ  ＳＤＵに対応するＰＤＣＰ  ＳＤＵとＰＤＣＰ  ＰＤＵを削除することとを含むことを特徴とする
請求項８に記載の方法。
【請求項１０】
前記第一の装置が端末であり、前記第一のＲＬＣ層エンティティが確認モード（ＡＭ）にあり、前記第一のＲＬＣ層エンティティによって処理された第一のＲＬＣ  ＳＤＵに関連付けられた第一のＲＬＣ  ＰＤＵの伝送が完了されたことを検出することは、
前記第一のＲＬＣ層エンティティを使用して前記ネットワーク側装置からのＰＤＵ共通状態情報（Ｃｏｍｍｏｎ  Ｓｔａｔｕｓ  ＰＤＵ）を受信することと、
前記ＰＤＵ共通状態情報（Ｃｏｍｍｏｎ  Ｓｔａｔｕｓ  ＰＤＵ）に基づいて前記第一のＲＬＣ層エンティティによって処理された前記第一のＲＬＣ  ＳＤＵに関連付けられた前記第一のＲＬＣ  ＰＤＵの伝送が完了されたことを検出することとを含むことを特徴とする
請求項１〜３のいずれか一項に記載の方法。
【請求項１１】
前記第一の装置が端末である場合、前記第一の指示メッセージ、及び前記第二の指示メッセージが端末内部の層間シグナリングであり、又は、
前記第一の装置がネットワーク側装置である場合、前記第一の指示メッセージと前記第二の指示メッセージがネットワーク側の各エンティティ同士の情報であることを特徴とする
請求項９に記載の方法。
【請求項１２】
前記第二のＲＬＣ  ＳＤＵは再送されたＰＤＣＰ  ＰＤＵを含み、又は、
前記第二のＲＬＣ  ＳＤＵは再送されたＰＤＣＰ  ＰＤＵを含まないことを特徴とする
請求項１−１１のいずれか一項に記載の方法。
【請求項１３】
前記第二のＲＬＣ  ＳＤＵは再送されたＰＤＣＰ  ＰＤＵとＰＤＣＰデータ復元プロセスの前に伝送されたＰＤＣＰ  ＰＤＵを含むことを特徴とする
請求項１−１１のいずれか一項に記載の方法。
【請求項１４】
前記再送されたＰＤＣＰ  ＰＤＵはＰＤＣＰデータ復元プロセスにおいて再送されたＰＤＣＰ  ＰＤＵであることを特徴とする
請求項１２又は１３に記載の方法。
【請求項１５】
第一の装置であって、プロセッサ、メモリ、通信インタフェース、及び一つ又は複数のプログラムを備え、前記一つ又は複数のプログラムが前記メモリに記憶され、前記プロセッサによって実行されるように構成され、前記プログラムが請求項１−１４のいずれか一項に記載される方法のステップを実行するための命令を含む、前記第一の装置。